(57)【要約】【課題】  通信品質を低下させるような不適切なアンテナの切替えを抑えて、十分なゲインを得ることが可能な無線受信装置を得る。【解決手段】  通信装置から送信され、かつ、受信したフレームを処理するフレーム処理部１５と、少なくともフレーム処理部１５でのフレーム処理結果に基づいて、受信に用いるアンテナ（１１・１２）を切替えるアンテナ切替部２０とを備える。【選択図】  図１
2005268959.tif 000002
【特許請求の範囲】
【請求項１】
複数のアンテナを備え、受信に用いるアンテナを前記複数のアンテナ間で切替える無線受信装置において、
通信装置から送信され、かつ、受信したフレームを処理するフレーム処理手段と、
少なくとも前記フレーム処理手段でのフレーム処理結果に基づいて、受信に用いるアンテナを切替えるアンテナ切替手段とを備えることを特徴とする無線受信装置。
【請求項２】
前記フレーム処理手段でのフレーム処理結果に基づいて、前記フレームの送信宛先が自装置であるか否かを識別する第１識別手段を備え、
前記フレームの送信宛先が自装置である場合、前記アンテナ切替手段は、前記フレームの受信状態に応じて、受信に用いるアンテナを切替えることを特徴とする請求項１記載の無線受信装置。
【請求項３】
前記フレーム処理手段でのフレーム処理結果に基づいて、前記フレームの送信宛先が自装置であるか否かを識別する第１識別手段と、
前記フレーム処理手段でのフレーム処理結果に基づいて、前記フレームの種類がリアルタイム性を要求するフレームであるか否かを識別する第２識別手段とを備え、
前記フレームの送信宛先が自装置である場合であって、かつ、前記フレームの種類がリアルタイム性を要求するフレームである場合に、前記アンテナ切替手段は、前記フレームの受信状態に応じて、受信に用いるアンテナを切替えることを特徴とする請求項１記載の無線受信装置。
【請求項４】
前記フレーム処理手段でのフレーム処理結果に基づいて、前記フレームの送信宛先が自装置であるか否かを識別する第１識別手段と、
前記フレーム処理手段でのフレーム処理結果に基づいて、前記フレームの種類がリアルタイム性を要求するフレームであるか否かを識別する第２識別手段と、
フレームのリアルタイム性の要求度合いを示した指標を優先度とした場合、前記フレーム処理手段でのフレーム処理結果に基づいて、前記フレームの優先度を識別する優先度識別手段と、
前記優先度識別手段で識別された優先度が、所定の度合いよりも高いか否かを判定する判定手段とを備え、
前記フレームの送信宛先が自装置である場合であって、かつ、前記フレームの種類がリアルタイム性を要求するフレームである場合であって、かつ、前記優先度が所定の度合いよりも高い場合に、前記アンテナ切替手段は、前記フレームの受信状態に応じて、受信に用いるアンテナを切替えることを特徴とする請求項１記載の無線受信装置。
【請求項５】
各アンテナにおける自装置宛てのフレームの受信状態を、通信装置毎に記憶した記憶手段と、
前記フレームの送信宛先が自装置でない場合、前記フレーム処理手段でのフレーム処理結果に基づいて、受信したフレームにフレームの送信権の付与を示すデータが含まれているか否かを識別する第３識別手段と、
前記受信したフレームに送信権の付与を示すデータが含まれている場合、前記フレーム処理手段でのフレーム処理結果に基づいて、送信権が付与される通信装置を識別する第４識別手段と、
前記送信権を付与される通信装置について、前記記憶手段から、各アンテナにおける自装置宛てのフレームの受信状態を読出す読出手段と、
前記読出した受信状態に基づいて、受信に用いるアンテナを決定するアンテナ決定手段とを備えることを特徴とする請求項２から４の何れか１項に記載の無線受信装置。
【請求項６】
前記フレームの送信宛先が自装置である場合、前記記憶手段に、フレームの送信元と、受信に用いているアンテナでの受信状態とを関連付けて書込む書込手段を備えることを特徴とする請求項５記載の無線通信装置。
【請求項７】
受信したフレームを基に、フレーム長を算出するフレーム長算出手段と、
前記算出したフレーム長が所定の長さ以上であるか否かを判断するフレーム長判断手段とを備え、
前記フレーム長が所定の長さ以上の場合、前記アンテナ切替手段は、前記フレームの受信状態に応じて、受信に用いるアンテナを切替えることを特徴とする請求項１記載の無線受信装置。
【請求項８】
受信したフレームを基に、変調速度を算出する変調速度算出手段と、
前記算出した変調速度が所定の速度以上であるか否かを判断する変調速度判断手段とを備え、
前記変調速度が所定の速度以上の場合、前記アンテナ切替手段は、前記フレームの受信状態に応じて、受信に用いるアンテナを切替えることを特徴とする請求項１記載の無線受信装置。
【請求項９】
受信したフレームを基に、受信電界強度を算出する受信電界強度算出手段と、
前記算出した受信電界強度と、所定の閾値とを比較する比較手段とを備え、
前記受信状態は、前記受信電界強度で示されるものであって、
前記受信電界強度が前記所定の閾値より小さい場合、前記アンテナ切替手段は、受信に用いるアンテナを切替えることを特徴とする請求項２から８の何れか１項に記載の無線受信装置。
【請求項１０】
受信したフレームを基に、変調精度を算出する変調精度算出手段と、
前記算出した変調精度と、所定の閾値とを比較する比較手段とを備え、
前記通信状態は、前記変調精度により示されるものであって、
前記変調精度が前記所定の閾値よりも高い場合、前記アンテナ切替手段は、受信に利用するアンテナを切替えることを特徴とする請求項２から８の何れか１項に記載の無線受信装置。
【請求項１１】
受信したフレームを基に、信号対雑音比を算出する信号対雑音比算出手段と、
前記算出した信号対雑音比と、所定の閾値とを比較する比較手段とを備え、
前記通信状態は、前記信号対雑音比により示されるものであって、
前記信号対雑音比が前記所定の閾値よりも小さい場合、前記アンテナ切替手段は、受信に利用するアンテナを切替えることを特徴とする請求項２から８の何れか１項に記載の無線受信装置。
【請求項１２】
受信したフレームを基に、ビットエラー率を算出するビットエラー率算出手段と、
前記算出したビットエラー率と、所定の閾値とを比較する比較手段とを備え、
前記受信状態は、前記ビットエラー率で示されるものであって、
前記ビットエラー率が前記所定の閾値より高い場合、前記アンテナ切替手段は、受信に用いるアンテナを切替えることを特徴とする請求項２から８の何れか１項に記載の無線受信装置。
【請求項１３】
受信したフレームを基に、フレームエラー率を算出するフレームエラー率算出手段と、
前記算出したフレームエラー率と、所定の閾値とを比較する比較手段とを備え、
前記受信状態は、前記フレームエラー率で示されるものであって、
前記フレームエラー率が前記所定の閾値より高い場合、前記アンテナ切替手段は、受信に用いるアンテナを切替えることを特徴とする請求項２から８の何れか１項に記載の無線受信装置。
【請求項１４】
受信したフレームを基に、フレームの連続エラー回数を算出する連続エラー算出手段と、
前記算出したフレームの連続エラー回数と、所定の閾値とを比較する比較手段とを備え、
前記受信状態は、前記フレームの連続エラー回数で示されるものであって、
前記フレームの連続エラー回数が前記所定の閾値より多い場合、前記アンテナ切替手段は、受信に用いるアンテナを切替えることを特徴とする請求項２から８の何れか１項に記載の無線受信装置。
【発明の詳細な説明】
【技術分野】
【０００１】
本発明は、複数のアンテナを備え、受信状態に応じてアンテナの切替えを行う無線受信装置に関する。
【背景技術】
【０００２】
無線通信では、受信する電波の強さ（受信電界強度）が変動するフェージング現象によって、通信品質が劣化することがある。このため、上記フェージング対策として、ダイバーシティ技術が用いられている。
【０００３】
ダイバーシティ技術の一例としては、無線受信装置に複数のアンテナを備えておき、受信電界強度が所定のレベル以下となった場合に、使用するアンテナを切替えて電波の受信を行う技術が挙げられる。また、受信電界強度以外にも、例えば、受信した信号に関する、信号対雑音比（ＳＮＲ：Signal Noise Ratio）、あるいは、変調精度（ＥＶＭ：Error Vector Magnitude）の値に基づいて、アンテナを切替えることも行われている。なお、上記アンテナは、ダイバーシティアンテナと称されている。
【０００４】
上記ダイバーシティアンテナを備える一般的な無線受信装置は、複数のアンテナ以外に、この複数のアンテナに共通に利用される受信部を備えている。ここで、上記無線受信装置の一構成例について、図８に基づいて説明する。なお、同図に示す無線受信装置９０は、受信電界強度に基づいてアンテナを切替える構成であって、アンテナを２つ備える構成の装置である。また、以下の説明では、無線受信装置９０は、電波（信号）の送信元となる通信装置が作成したフレームを、該通信装置が変調処理した後の信号（変調信号）を受信するものとする。
【０００５】
上記無線受信装置９０は、同図に示すとおり、第１アンテナ９１、第２アンテナ９２、受信部９３、信号復調部９４、フレーム処理部９５、上位処理部９６、比較部９７、および、アンテナ切替部９８を備えている。また、受信部９３は、受信電界強度算出部９９を備えている。
【０００６】
上記無線受信装置９０では、第１アンテナ９１または第２アンテナ９２によって、外部からの信号（変調信号）を受信する。なお、同図においては、第２アンテナ９２が用いられている状態が示されている。
【０００７】
上記受信部９３は、この受信部９３に接続されたアンテナ（同図では、第２アンテナ９２）を介して、変調信号を受信する。そして、受信部９３は、信号復調部９４に信号を送る。また、受信部９３内の受信電界強度算出部９９は、受信した変調信号から受信電界強度を算出する。
【０００８】
上記信号復調部９４は、受信部９３を介して送られてきた変調信号を復調する。そして、復調した信号（復調信号）をフレーム処理部９５に送る。上記フレーム処理部９５は、復調信号からフレームを作成する。より詳しくは、フレーム処理部９５は、上記変調信号を、フレームタイプ、送信元アドレス、送信先アドレス等のヘッダ情報と、フレームボディであるペイロードデータと、ＦＣＳ（Frame Check Sequence：フレーム検査シーケンス）とに復元する。そして、フレーム処理部９５は、これらヘッダ情報、ペイロードデータ、および、ＦＣＳを、上位処理部９６に送る。
【０００９】
上位処理部９６は、例えば、フレームが映像フレームであれば、映像表示装置（図示せず）で表示可能なフォーマットに変換する。また、上位処理部９６は、フレームに暗号化処理が施されている場合には、復号処理を行う。また、フレームによっては、フレームの送信元である送信装置に対して、無線受信装置が応答する必要がある。このような場合、上位処理部９６は、応答する必要の有無を判断して、必要な場合には送信用のフレームを作成する。
【００１０】
上記比較部９７は、受信電界強度算出部９９で算出された受信電界強度と、所定の閾値との比較を行う。そして、比較部９７は、受信電界強度が所定の閾値より小さい場合、アンテナ切替部９８に対して、アンテナの切替指示を送る。なお、比較部９７は、受信電界強度が所定の閾値より大きい場合、アンテナ切替部９８に対して、アンテナ切替指示を送ることなく処理を終了する。
【００１１】
上記アンテナ切替部９８は、比較部９７からの切替指示に応じて、通信に用いるアンテナを第１アンテナ９１と第２アンテナ９２との間で切替える。つまり、受信部９３に接続するアンテナを選択的に切替える。例えば、同図では、第２アンテナ９２が用いられているが、受信電界強度が所定の閾値より小さくなった場合、アンテナ切替部９８によって、第２アンテナ９２から第１アンテナ９１に切替えられる。
【００１２】
また、特許文献１には、単に受信電界強度だけではなく、受信データのビットエラー率をも加味してアンテナの切替えを行うことにより、通信品質を劣化させることなくダイバーシティ利得を向上させる受信機が開示されている。
【特許文献１】特開平９−１９１３０５号（公開日：平成９年７月２２日）
【発明の開示】
【発明が解決しようとする課題】
【００１３】
しかしがら、上記無線受信装置９０では、以下のような問題が生じる。
【００１４】
例えば、上記無線受信装置９０と複数の無線通信装置とが存在し、各装置間で通信が行われる場合、上記無線受信装置９０以外の装置間の通信で用いられる電波やノイズを、アンテナを介して無線受信装置９０が受信してしまう場合がある。そして、上記受信した電波やノイズの受信電界強度が所定の閾値よりも小さければ、アンテナの切替えを行ってしまう。このため、無線受信装置９０の通信品質が低下するという問題が生じる。
【００１５】
また、上記特許文献１でも、上記無線受信装置と同様に、以下のような問題が生じる。
【００１６】
例えば、上記特許文献１の受信機と複数の無線通信装置とが存在し、各装置間で通信が行われる場合、上記受信機以外の装置間の通信で用いられる電波やノイズを、アンテナを介して受信機が受信してしまう場合がある。そして、上記受信した電波やノイズから算出されるビットエラー率が所定の閾値よりも大きければ、アンテナの切替えを行ってしまう。このため、上記受信機の通信品質が低下するという問題が生じる。
【００１７】
本発明は、上記の問題点に鑑みてなされたものであり、その目的は、通信品質を低下させるような不適切なアンテナの切替えを抑えて、十分なゲイン（ダイバーシティ利得）を得ることが可能な無線受信装置を提供することにある。
【課題を解決するための手段】
【００１８】
本発明に係る無線受信装置は、上記の課題を解決するため、複数のアンテナを備え、受信に用いるアンテナを前記複数のアンテナ間で切替える無線受信装置において、通信装置から送信され、かつ、受信したフレームを処理するフレーム処理手段と、少なくとも前記フレーム処理手段でのフレーム処理結果に基づいて、受信に用いるアンテナを切替えるアンテナ切替手段とを備えることを特徴としている。
【００１９】
上記の構成によれば、アンテナ切替手段は、フレーム処理手段によるフレーム処理結果に基づいて、受信に用いるアンテナを切替える。ここで、フレーム処理結果とは、フレームに含まれるデータ自体、並びに、フレームエラー率およびフレームの連続エラー回数等のフレーム処理を行った際に算出することができる値を指す。
【００２０】
それゆえ、単に、受信電界強度や信号変調時に求められるビットエラー率を基にアンテナを切替える構成と比較して、精度の高いアンテナ切替えを行うことができる。
【００２１】
したがって、通信品質を低下させるような不適切なアンテナの切替えを抑えて、十分なゲイン（ダイバーシティ利得）を得ることが可能な無線受信装置を提供することができるという効果を奏する。
【００２２】
また、本発明に係る無線受信装置は、上記の無線受信装置において、前記フレーム処理手段でのフレーム処理結果に基づいて、前記フレームの送信宛先が自装置であるか否かを識別する第１識別手段を備え、前記フレームの送信宛先が自装置である場合、前記アンテナ切替手段は、前記フレームの受信状態に応じて、受信に用いるアンテナを切替えることを特徴としている。
【００２３】
上記の構成によれば、第１識別手段により、前記フレーム処理手段でのフレーム処理結果に基づいて、該フレームの送信宛先が自装置であるか否かを識別することができる。そして、上記フレームの送信宛先が自装置である場合に、アンテナ切替手段により、前記フレームの受信状態に応じて、受信に利用するアンテナが切替えられる。
【００２４】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【００２５】
しかしながら、第１識別手段によりフレームの送信宛先が自装置か否か判断し、かつ、フレームの送信宛先が自装置である場合にアンテナ切替えの必要性を判断することによって、自装置宛てのフレームに対する自装置での受信状態が悪化するといったおそれがなくなる。
【００２６】
したがって、通信品質を低下させるような不適切なアンテナの切替えを抑えて、十分なゲインを得ることが可能な無線受信装置を提供することができるという効果を奏する。
【００２７】
また、本発明に係る無線受信装置は、前記フレーム処理手段でのフレーム処理結果に基づいて、前記フレームの送信宛先が自装置であるか否かを識別する第１識別手段と、前記フレーム処理手段でのフレーム処理結果に基づいて、前記フレームの種類がリアルタイム性を要求するフレームであるか否かを識別する第２識別手段とを備え、前記フレームの送信宛先が自装置である場合であって、かつ、前記フレームの種類がリアルタイム性を要求するフレームである場合に、前記アンテナ切替手段は、前記フレームの受信状態に応じて、受信に用いるアンテナを切替えることを特徴としている。
【００２８】
上記の構成によれば、第１識別手段により、前記フレーム処理手段でのフレーム処理結果に基づいて、該フレームの送信宛先が自装置であるか否かを識別することができる。また、第２識別手段により、受信したフレームに基づいて、前記フレームの種類がリアルタイム性を要求するフレームであるか否かが識別される。そして、前記フレームの送信宛先が自装置である場合であって、かつ、上記フレームの種類がリアルタイム性を要求するフレームである場合、アンテナ切替手段が、前記フレームの受信状態に応じて、受信に用いるアンテナを切替える。
【００２９】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【００３０】
また、上記リアルタイム性を要求するフレームは、一般に、フレーム長が長い。このため、ノイズ等の影響によりエラーがフレームにのったり、フレームの一部または全部が欠落してしまうおそれが、リアルタイム性を要求しないフレームよりも強い。それゆえ、リアルタイム性を要求するフレームを精度よく受信できれば、効率のよい受信を実現できる。
【００３１】
したがって、上述したようにフレームの送信宛先が自装置である場合であって、かつ、フレームの種類がリアルタイム性を要求するフレームである場合に、該フレームの受信状態に応じて、受信に用いるアンテナを切替えることにより、効率のよい受信を実現することができるというという効果を奏する。
【００３２】
また、本発明に係る無線受信装置は、前記フレーム処理手段でのフレーム処理結果に基づいて、前記フレームの送信宛先が自装置であるか否かを識別する第１識別手段と、前記フレーム処理手段でのフレーム処理結果に基づいて、前記フレームの種類がリアルタイム性を要求するフレームであるか否かを識別する第２識別手段と、フレームのリアルタイム性の要求度合いを示した指標を優先度とした場合、前記フレーム処理手段でのフレーム処理結果に基づいて、前記フレームの優先度を識別する優先度識別手段と、前記優先度識別手段で識別された優先度が、所定の度合いよりも高いか否かを判定する判定手段とを備え、前記フレームの送信宛先が自装置である場合であって、かつ、前記フレームの種類がリアルタイム性を要求するフレームである場合であって、かつ、前記優先度が所定の度合いよりも高い場合に、前記アンテナ切替手段は、前記フレームの受信状態に応じて、受信に用いるアンテナを切替えることを特徴としている。
【００３３】
上記の構成によれば、第１識別手段により、前記フレーム処理手段でのフレーム処理結果に基づいて、該フレームの送信宛先が自装置であるか否かを識別することができる。また、第２識別手段により、受信したフレームに基づいて、前記フレームの種類がリアルタイム性を要求するフレームであるか否かが識別される。さらに、優先度識別手段により、前記フレーム処理手段でのフレーム処理結果に基づいて、前記フレームの優先度が識別される。また、判定手段により、前記優先度識別手段で識別された優先度と、所定の度合いとが比較される。
【００３４】
そして、前記フレームの送信宛先が自装置である場合であって、かつ、前記フレームの種類がリアルタイム性を要求するフレームである場合であって、かつ、前記優先度が所定の度合いより高い場合に、アンテナ切替手段が、前記フレームの受信状態に応じて、受信に用いるアンテナを切替える。
【００３５】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【００３６】
また、上記リアルタイム性を要求するフレームは、一般に、フレーム長が長い。このため、ノイズ等の影響によりエラーがフレームにのったり、フレームの一部または全部が欠落してしまうおそれが、リアルタイム性を要求しないフレームよりも強い。それゆえ、リアルタイム性を要求するフレームを精度よく受信できれば、効率のよい受信を実現できる。
【００３７】
さらに、リアルタイム性を要求するフレームのうち、リアルタイム性の要求が高いフレームを精度よく受信できれば、より一層効率の高い受信が可能となる。
【００３８】
したがって、上述したようにフレームの送信宛先が自装置である場合であって、かつ、フレームの種類がリアルタイム性を要求するフレームである場合であって、かつ、前記優先度が所定の度合いより高い場合に、該フレームの受信状態に応じて、受信に用いるアンテナを切替えることにより、効率のよい受信を実現することができるというという効果を奏する。
【００３９】
また、本発明に係る無線受信装置は、上記の無線受信装置において、各アンテナにおける自装置宛てのフレームの受信状態を、通信装置毎に記憶した記憶手段と、前記フレームの送信宛先が自装置でない場合、前記フレーム処理手段でのフレーム処理結果に基づいて、受信したフレームにフレームの送信権の付与を示すデータが含まれているか否かを識別する第３識別手段と、前記受信したフレームに送信権の付与を示すデータが含まれている場合、前記フレーム処理手段でのフレーム処理結果に基づいて、送信権が付与される通信装置を識別する第４識別手段と、前記送信権を付与される通信装置について、前記記憶手段から、各アンテナにおける自装置宛てのフレームの受信状態を読出す読出手段と、前記読出した受信状態に基づいて、受信に用いるアンテナを決定するアンテナ決定手段とを備えることを特徴としている。
【００４０】
上記の構成によれば、送信宛先が自装置でないフレームを受信した場合、第３識別手段により、前記フレーム処理手段でのフレーム処理結果に基づいて、受信したフレームにフレームの送信権の付与を示すデータが含まれているか否かが識別される。そして、受信したフレームに送信権の付与を示すデータが含まれている場合、第４識別手段により、前記フレーム処理手段でのフレーム処理結果に基づいて、送信権が付与される通信装置が識別される。それゆえ、上記第３識別手段および第４識別手段により、次に送信権を有する通信装置を識別することができる。
【００４１】
また、記憶手段は、各アンテナにおける自装置宛てのフレームの受信状態を、通信装置毎に記憶している。そして、読出手段により、前記送信権を付与される通信装置について、記憶手段から、各アンテナにおける自装置宛てのフレームの受信状態を読出せる。つまり、読出手段により、次に送信権を有する通信装置に対し、各アンテナを用いた場合における受信状態を記憶手段から読出すことができる。
【００４２】
さらに、アンテナ決定手段により、読出した受信状態に基づいて、受信するためのアンテナが決定される。例えば、受信状態の最も優れたアンテナを、通信に利用するアンテナと決定する構成とすればよい。
【００４３】
したがって、上記決定に従って、受信に利用するアンテナを切替えることにより、自装置におけるフレームの受信状態を良好にすることが可能となるという効果を奏する。
【００４４】
また、本発明に係る無線受信装置は、上記の無線受信装置において、前記フレームの送信宛先が自装置である場合、前記記憶手段に、フレームの送信元と、受信に用いているアンテナでの受信状態とを関連付けて書込む書込手段を備えることを特徴としている。
【００４５】
上記の構成によれば、前記フレームの送信宛先が自装置である場合、書込手段により、上記記憶手段に、フレームの送信元と、受信に用いているアンテナでの通信状態とが関連付けて書込まれる。
【００４６】
したがって、記憶手段に、受信状態の情報を記憶させることができる。それゆえ、以後のアンテナ切替処理において、書込手段により書込まれた受信状態の情報を利用することができるという効果を奏する。
【００４７】
また、本発明に係る無線受信装置は、上記の無線受信装置において、受信したフレームを基に、フレーム長を算出するフレーム長算出手段と、前記算出したフレーム長が所定の長さ以上であるか否かを判断するフレーム長判断手段とを備え、前記フレーム長が所定の長さ以上の場合、前記アンテナ切替手段は、前記フレームの受信状態に応じて、受信に用いるアンテナを切替えることを特徴としている。
【００４８】
上記の構成によれば、フレーム長判断手段により、フレーム長算出手段で算出したフレーム長が、所定の長さ以上であるか否かを判断することができる。そして、上記フレームのフレーム長が所定の長さ以上である場合に、アンテナ切替手段が、前記フレームの受信状態に応じて、受信に利用するアンテナを切替える。
【００４９】
ところで、フレーム長の長いフレームは、ノイズ等の影響によりエラーがフレームにのったり、フレームの一部または全部が欠落してしまうおそれが、フレーム長が短いフレームよりも強い。それゆえ、フレーム長が長いフレームを精度よく受信できれば、効率のよい受信を実現できる。
【００５０】
したがって、フレーム長が所定の長さ以上の場合、前記フレームの受信状態に応じて、受信に用いるアンテナを切替えることにより、効率のよい受信を実現することができるというという効果を奏する。
【００５１】
また、本発明に係る無線受信装置は、上記の無線受信装置において、受信したフレームを基に、変調速度を算出する変調速度算出手段と、前記算出した変調速度が所定の速度以上であるか否かを判断する変調速度判断手段とを備え、前記変調速度が所定の速度以上の場合、前記アンテナ切替手段は、前記フレームの受信状態に応じて、受信に用いるアンテナを切替えることを特徴としている。
【００５２】
上記の構成によれば、変調速度判断手段により、変調速度算出手段で算出した変調速度が、所定の速度以上であるか否かを判断することができる。そして、上記変調速度が所定の速度以上である場合に、アンテナ切替手段が、前記フレームの受信状態に応じて、受信に利用するアンテナを切替える。
【００５３】
ところで、変調速度が速いフレームは、ノイズ等の影響によりエラーがフレームにのるおそれが、変調速度が遅いフレームよりも強い。それゆえ、変調速度が速いフレームを精度よく受信できれば、効率のよい受信を実現できる。
【００５４】
したがって、変調速度が所定の速度以上の場合、前記フレームの受信状態に応じて、受信に用いるアンテナを切替えることにより、効率のよい受信を実現することができるという効果を奏する。
【００５５】
また、本発明に係る無線受信装置は、上記の無線受信装置において、受信したフレームを基に、受信電界強度を算出する受信電界強度算出手段と、前記算出した受信電界強度と、所定の閾値とを比較する比較手段とを備え、前記受信状態は、前記受信電界強度で示されるものであって、前記受信電界強度が前記所定の閾値より小さい場合、前記アンテナ切替手段は、受信に用いるアンテナを切替えることを特徴としている。
【００５６】
上記の構成によれば、受信電界強度算出手段により、受信したフレームを基に、受信電界強度が算出される。また、比較手段により、上記算出した受信電界強度と、所定の閾値とが比較される。そして、上記受信電界強度が前記所定の閾値より小さい場合、アンテナ切替手段が受信に用いるアンテナを切替える。
【００５７】
つまり、受信電界強度が一定レベル以下になった場合（受信状態が良好でない場合）、アンテナを切替える。
【００５８】
したがって、受信状態を示す受信電界強度に基づいて、アンテナの切替えが行うことができるという効果を奏する。
【００５９】
また、本発明に係る無線受信装置は、上記の無線受信装置において、受信したフレームを基に、変調精度を算出する変調精度算出手段と、前記算出した変調精度と、所定の閾値とを比較する比較手段とを備え、前記通信状態は、前記変調精度により示されるものであって、前記変調精度が前記所定の閾値よりも高い場合、前記アンテナ切替手段は、受信に利用するアンテナを切替えることを特徴としている。
【００６０】
上記の構成によれば、変調精度算出手段により、受信したフレームを基に、変調精度が算出される。また、比較手段により、上記算出した変調精度と、所定の閾値とが比較される。そして、上記変調精度が前記所定の閾値より高い場合、アンテナ切替手段が受信に用いるアンテナを切替える。
【００６１】
つまり、変調精度が一定レベル以上になった場合（受信状態が良好でない場合）、アンテナを切替える。
【００６２】
したがって、受信状態を示す変調精度に基づいて、アンテナの切替えが行うことができるという効果を奏する。
【００６３】
また、本発明に係る無線受信装置は、上記の無線受信装置において、受信したフレームを基に、信号対雑音比を算出する信号対雑音比算出手段と、前記算出した信号対雑音比と、所定の閾値とを比較する比較手段とを備え、前記通信状態は、前記信号対雑音比により示されるものであって、前記信号対雑音比が前記所定の閾値よりも小さい場合、前記アンテナ切替手段は、受信に利用するアンテナを切替えることを特徴としている。
【００６４】
上記の構成によれば、信号対雑音比算出手段により、受信したフレームを基に、信号対雑音比が算出される。また、比較手段により、上記算出した信号対雑音比と、所定の閾値とが比較される。そして、上記信号対雑音比が前記所定の閾値より小さい場合、アンテナ切替手段が受信に用いるアンテナを切替える。
【００６５】
つまり、信号対雑音比が一定レベル以下になった場合（受信状態が良好でない場合）、アンテナを切替える。
【００６６】
したがって、受信状態を示す信号対雑音比に基づいて、アンテナの切替えが行うことができるという効果を奏する。
【００６７】
また、本発明に係る無線受信装置は、上記の無線受信装置において、受信したフレームを基に、ビットエラー率を算出するビットエラー率算出手段と、前記算出したビットエラー率と、所定の閾値とを比較する比較手段とを備え、前記受信状態は、前記ビットエラー率で示されるものであって、前記ビットエラー率が前記所定の閾値より高い場合、前記アンテナ切替手段は、受信に用いるアンテナを切替えることを特徴としている。
【００６８】
上記の構成によれば、ビットエラー率算出手段により、受信したフレームを基に、ビットエラー率が算出される。また、比較手段により、上記算出したビットエラー率と、所定の閾値とが比較される。そして、上記ビットエラー率が前記所定の閾値より高い場合、アンテナ切替手段が受信に用いるアンテナを切替える。
【００６９】
つまり、ビットエラー率が一定レベル以上になった場合（受信状態が良好でない場合）、アンテナを切替える。
【００７０】
したがって、受信状態を示すビットエラー率に基づいて、アンテナの切替えが行うことができるという効果を奏する。
【００７１】
また、本発明に係る無線受信装置は、上記の無線受信装置において、受信したフレームを基に、フレームエラー率を算出するフレームエラー率算出手段と、前記算出したフレームエラー率と、所定の閾値とを比較する比較手段とを備え、前記受信状態は、前記フレームエラー率で示されるものであって、前記フレームエラー率が前記所定の閾値より高い場合、前記アンテナ切替手段は、受信に用いるアンテナを切替えることを特徴としている。
【００７２】
上記の構成によれば、フレームエラー率算出手段により、受信したフレームを基に、フレームエラー率が算出される。また、比較手段により、上記算出したフレームエラー率と、所定の閾値とが比較される。そして、上記フレームエラー率が前記所定の閾値より高い場合、受信に用いるアンテナを切替える。
【００７３】
つまり、フレームエラー率が一定レベル以上になった場合（受信状態が良好でない場合）、アンテナ切替手段がアンテナを切替える。
【００７４】
したがって、受信状態を示すフレームエラー率に基づいて、アンテナの切替えが行うことができるという効果を奏する。
【００７５】
また、本発明に係る無線受信装置は、上記の無線受信装置において、受信したフレームを基に、フレームの連続エラー回数を算出する連続エラー算出手段と、前記算出したフレームの連続エラー回数と、所定の閾値とを比較する比較手段とを備え、前記受信状態は、前記フレームの連続エラー回数で示されるものであって、前記フレームの連続エラー回数が前記所定の閾値より多い場合、前記アンテナ切替手段は、受信に用いるアンテナを切替えることを特徴としている。
【００７６】
上記の構成によれば、連続エラー回数算出手段により、受信したフレームを基に、フレームの連続エラー回数が算出される。また、比較手段により、上記算出したフレームの連続エラー回数と、所定の閾値とが比較される。そして、上記フレームの連続エラー回数が前記所定の閾値より多い場合、アンテナ切替手段が受信に用いるアンテナを切替える。
【００７７】
つまり、フレームの連続エラー回数が一定レベル以上になった場合（受信状態が良好でない場合）、アンテナを切替える。
【００７８】
したがって、受信状態を示すフレームの連続エラー回数に基づいて、アンテナの切替えが行うことができるという効果を奏する。
【発明の効果】
【００７９】
本発明に係る無線受信装置は、以上のように、通信装置から送信され、かつ、受信したフレームを処理するフレーム処理手段と、少なくとも前記フレーム処理手段でのフレーム処理結果に基づいて、受信に用いるアンテナを切替えるアンテナ切替手段とを備えるため、通信品質を低下させるような不適切なアンテナの切替えを抑えて、十分なゲインを得ることが可能となる。
【発明を実施するための最良の形態】
【００８０】
〔実施の形態１〕
本発明の一実施形態について図１ないし図３に基づいて説明すると以下の通りである。
【００８１】
図１は、本実施の形態に係る無線受信装置１の機能ブロック図である。上記無線受信装置１は、同図に示すとおり、第１アンテナ１１、第２アンテナ１２、受信部１３、信号復調部１４、フレーム処理部１５、上位処理部１６、第１識別部（第１識別手段）１７、第２識別部（第２識別手段）１８、比較部（比較手段）１９、および、アンテナ切替部（アンテナ切替手段）２０を備えている。また、受信部１３は、受信電界強度算出部（受信電界強度算出手段）２１を備えている。
【００８２】
なお、以下の説明では、無線受信装置１は、電波（信号）の送信元となる通信装置が作成したフレームを、該通信装置が変調処理した後の信号（変調信号）を受信するものとする。後述する実施の形態２の無線受信装置１′でも同様である。
【００８３】
また、上記第１アンテナ１１、第２アンテナ１２、受信部１３、信号復調部１４、上位処理部１６、および、アンテナ切替部２０は、それぞれ、従来技術として説明した、第１アンテナ９１、第２アンテナ９２、受信部９３、信号復調部９４、上位処理部９６、および、アンテナ切替部９８と同一の機能を有するため、ここでの説明を省略する。
【００８４】
上記フレーム処理部１５は、信号復調部１４から復調信号を受信する。そして、フレーム処理部１５は、この復調信号からフレームを作成する。より詳しくは、フレーム処理部１５は、上記変調信号を、フレームタイプ、送信元アドレス、送信先アドレス等のヘッダ情報と、フレームボディであるペイロードデータと、ＦＣＳとに復元する。そして、フレーム処理部１５は、これらヘッダ情報、ペイロードデータ、および、ＦＣＳを、上位処理部１６に送る。これらの機能は、上述したフレーム処理部９５と同一である。
【００８５】
上記フレーム処理部１５は、上記の機能に加え、上記フレームのヘッダ情報を第１識別部１７および第２識別部１８に通知する。
【００８６】
ここで、フレーム処理部１５で作成されたフレームのフォーマットの例について、図２に基づいて説明する。このフレームは、複数のフィールドから構成されている。具体的には、フレームは、Frame Control（フレーム制御）、Duration/ID、Address１、Address２、Address３、Sequence Control（シーケンス制御）、Address４、ＱｏＳ（Quality of Service） Control（サービス品質制御）、Frame Body（フレームボディ）、ＦＣＳといったフィールドで構成されている。なお、上記Frame Control、Duration/ID、Address１、Address２、Address３、Sequence Control、Address４、および、ＱｏＳ Controlが上記ヘッダ情報に該当する。
【００８７】
上記Frame Controlは、フレームの種類を示すフィールドである。また、上記Address１は、フレームの送信元のアドレスを示すフィールドである。さらに、Address２は、フレームの送信宛先のアドレスを示すフィールドである。ＱｏＳ  ＣｏｎｔｒｏｌはＱｏＳデータフレームの優先度を示すフィールドである。ここで、優先度とは、フレームのリアルタイム性の要求度合いを示した指標である。なお、上記フレーム内のその他のフィールドの説明については、省略する。
【００８８】
上記受信電界強度算出部２１は、受信部１３で受信した変調信号から受信電界強度を算出する。そして、受信電界強度算出部２１は、比較部１９に対して、算出した受信電界強度を示すデータ（以下、受信電界強度データと称する）を送る。
【００８９】
上記第１識別部１７は、上記フレームに基づいて、フレームの送信宛先が自装置（無線受信装置１）であるか否かを識別する。具体的には、上記フレーム内のAddress２（送信宛先のアドレス）のフィールドに基づいて、フレームの送信宛先が自装置であるか否かを識別する。また、上記第１識別部１７は、フレームの送信宛先が自装置であると識別した場合、上記第２識別部１８に対して、フレームの送信宛先が自装置である旨の情報を通知する。
【００９０】
上記第２識別部１８は、フレームの送信宛先が自装置である旨の情報を受信した場合、上記フレームに基づいて、フレームの種類がリアルタイム性を要求するフレームであるか否かを識別する。本実施の形態では、上記リアルタイム性を要求するフレームの一例として、第２識別部１８は、フレームの種類がＱｏＳデータフレームであるか否かを識別する。
【００９１】
そして、上記第２識別部１８は、フレームの種類がＱｏＳデータフレームである場合、上記比較部１９に対して、フレームの種類がＱｏＳデータフレームである旨の情報を通知する。なお、フレームの種類がＱｏＳデータフレームであるとは、フレームの種類が、ＱｏＳを保証するフレームであることを示している。
【００９２】
上記比較部１９は、まず、受信電界強度算出部２１から、受信電界強度データを受信する。さらに、第２識別部１８から、フレームの種類がＱｏＳデータフレームである旨の情報を受信した場合、上記受信電界強度と所定の閾値との大小を比較する。そして、比較部１９は、受信電界強度が所定の閾値よりも小さい場合、アンテナ切替部２０に対して、アンテナの切替指示を送る。
【００９３】
アンテナ切替部２０は、比較部１９からの切替指示に応じて、通信に用いるアンテナを第１アンテナ１１と第２アンテナ１２との間で切替える。つまり、受信部１３に接続するアンテナを選択的に切替える。例えば、同図では、第２アンテナ１２が用いられているが、受信電界強度が所定の閾値より小さくなった場合、アンテナ切替部２０によって、第２アンテナ１２から第１アンテナ１１に切替えられる。
【００９４】
以上のように、上記無線受信装置１は、前記フレーム処理部１５でのフレーム処理結果に基づいて、前記フレームの送信宛先が自装置であるか否かを識別する第１識別部（第１識別手段）１７を備え、前記フレームの送信宛先が自装置１である場合、前記フレームの受信状態（受信電界強度で示される受信状態）に応じて、受信に利用するアンテナ（１１・１２）を切替える構成である。
【００９５】
上記の構成によれば、第１識別部１７により、受信したフレームに基づいて、該フレームの送信宛先が自装置１であるか否かを識別することができる。そして、上記フレームの送信宛先が自装置１である場合に、前記フレームの受信状態に応じて、受信に利用するアンテナ（１１・１２）が切替えられる。
【００９６】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうという問題が生じる。このため、自装置宛てのフレームに対する自装置での受信状態が悪化して、通信品質が低下してしまうおそれがある。
【００９７】
しかしながら、上記無線受信装置１では、第１識別部１７によりフレームの送信宛先が自装置か否か判断し、かつ、フレームの送信宛先が自装置１である場合にアンテナ切替えの必要性を判断することにより、自装置宛てのフレームに対する自装置での受信状態が悪化するといったおそれがなくなる。
【００９８】
したがって、上記無線受信装置１では、通信品質を低下させるような不適切なアンテナの切替えを抑えることができ、その結果、十分なゲインを得ることが可能となる。
【００９９】
また、上記無線受信装置１は、前記フレーム処理手段でのフレーム処理結果に基づいて、前記フレームの種類がリアルタイム性を要求するフレームであるか否かを識別する第２識別部１８（第２識別手段）を備え、前記フレームの送信宛先が自装置である場合であって、かつ、前記フレームの種類がリアルタイム性を要求するフレームである場合に、前記フレームの受信状態に応じて、受信に用いるアンテナ（１１・１２）を切替える構成でもある。
【０１００】
上記の構成によれば、第２識別部１８により、受信したフレームに基づいて、前記フレームの種類がリアルタイム性を要求するフレームであるか否かが識別される。そして、上記フレームの種類がリアルタイム性を要求するフレームである場合、前記フレームの受信状態に応じて、受信に用いるアンテナ（１１・１２）を切替える。
【０１０１】
ここで、上記リアルタイム性を要求するフレームは、一般に、フレーム長が長い。このため、ノイズ等の影響により、エラーがのったフレームを受信したり、フレームの一部または全部が欠落してしまうおそれが、リアルタイム性を要求しないフレームよりも強い。それゆえ、リアルタイム性を要求するフレームを精度よく受信できれば、効率のよい通信を実現できる。
【０１０２】
したがって、上記無線受信装置１では、上述したように、フレームの種類がリアルタイム性を要求するフレームである場合に、該フレームの受信状態に応じて、通信に利用するアンテナを切替えることにより、効率のよい受信を実現することができる。
【０１０３】
次に、上記無線受信装置１におけるアンテナ切替処理のフローを、図３のフローチャートに基づいて説明する。
【０１０４】
まず、何れかのアンテナ（１１・１２）により電波（信号）を受信する（Ｓ１）。ここで、何れかのアンテナとは、該電波を受信する直前まで用いられていたアンテナである。Ｓ１の後は、受信電界強度算出部２１により、受信電界強度が算出される（Ｓ２）。また、Ｓ２の後は、信号復調部１４により、信号が復調される（Ｓ３）。
【０１０５】
Ｓ３の後は、復調された信号に基づいて、フレーム処理部１５は、フレーム処理を行って、フレームを作成する（Ｓ４）。そして、Ｓ４の後は、第１識別部１７により、上記フレームに基づいて、フレームの送信宛先が自装置であるか否かを識別する（Ｓ５）。
【０１０６】
上記Ｓ５において、フレームの送信宛先が自装置でない場合（Ｎｏの場合）、アンテナの切替処理を行わずに、処理を終了する。一方、Ｓ５において、フレームの送信宛先が自装置である場合（Ｙｅｓの場合）、第２識別部１８により、フレームの種類がＱｏＳデータフレームであるか否かを識別する（Ｓ６）。
【０１０７】
上記Ｓ６において、フレームの種類がＱｏＳデータフレームでない場合（Ｎｏの場合）には、アンテナ切替処理を行わずに、処理を終了する。一方、フレームの種類がＱｏＳデータフレームの場合（Ｙｅｓの場合）には、比較部１９により、受信電界強度算出部２１により算出された受信電界強度と、所定の閾値との大小が比較される。具体的には、受信電界強度が所定の閾値よりも小さいか否かが判断される（Ｓ７）。
【０１０８】
上記Ｓ７において、受信電界強度が所定の閾値よりも大きい場合（Ｎｏの場合）には、アンテナの切替処理を行わずに、処理を終了する。一方、受信電界強度が所定の閾値よりも小さい場合（Ｙｅｓの場合）には、アンテナ切替部２０により、アンテナの切替処理が行われる（Ｓ８）。上記Ｓ８の後は、処理を終了する。
【０１０９】
なお、Ｓ２で示す受信電界強度の算出ステップは、必ずしも、Ｓ３で示す信号の復調ステップの前に行う必要はなく、少なくとも、Ｓ７で示すステップまでに行えばよい。
【０１１０】
ところで、上記の説明では、アンテナを２つ備えた構成を例に挙げて説明したが、アンテナ数は２つに限定されるものではない。
【０１１１】
また、上記の説明では、第２識別部１８を設け、この第２識別部１８によりフレームの種類がＱｏＳデータフレームであるか否かを識別する構成としたが、無線受信装置１の構成を、第２識別部１８を備えない構成としてもよい。
【０１１２】
つまり、第１識別部１７がフレームの送信宛先が自装置であると識別した場合、第１識別部１７は、上記比較部１９に対して、フレームの送信宛先が自装置である旨の情報を送信する構成としてもよい。この場合、比較部１９は、該情報を受信すると、上述したとおり上記受信電界強度と所定の閾値との大小を比較し、その結果、受信電界強度が所定の閾値よりも小さい場合、アンテナ切替部２０に対して、アンテナの切替指示を送ればよい。
【０１１３】
また、上記の説明では、無線受信装置１は受信電界強度算出部２１を備え、受信電界強度と所定の閾値とを比較部１９で比較することにより、アンテナ切替処理の実行の有無を判断したが、これに限定されるものではない。
【０１１４】
例えば、フレーム処理部１５にフレームエラー率を算出するフレームエラー率算出部（フレームエラー算出手段）を設け、このフレームエラー率算出部で算出したフレームエラー率と、所定の閾値とを比較部１９で比較する構成としてもよい。この場合、フレームエラー率が所定の閾値より高い場合に、比較部１９はアンテナ切替部２０に対して、アンテナの切替を指示する構成としておけばよい。
【０１１５】
また、フレーム処理部１５にフレームの連続エラー回数を算出する連続エラー算出部（連続エラー算出手段）を設け、この連続エラー算出部で算出したフレームの連続エラー回数と、所定の閾値とを比較部１９で比較する構成としてもよい。この場合、フレームの連続エラー回数が、所定の閾値より多い場合に、比較部１９はアンテナ切替部２０に対して、アンテナの切替を指示する構成としておけばよい。
【０１１６】
なお、上記フレームの連続エラー回数とは、「アンテナ切替の対象となるフレームを受信したが、エラーが検出された」という事象が連続して何回発生したかを示した回数である。そして、この場合の「エラー」とは、フレーム内のエラーを指している。
【０１１７】
また、信号復調部１４にビットエラー率を算出するビットエラー率算出部（ビットエラー算出手段）を設け、このビットエラー率算出部で算出したビットエラー率と、所定の閾値とを比較部１９で比較する構成としてもよい。この場合、ビットエラー率が所定の閾値よりも高い場合に、比較部１９は、アンテナ切替部２０に対して、アンテナの切替を指示する構成としておけばよい。
【０１１８】
また、信号復調部１４に信号対雑音比（ＳＮＲ）を算出する信号対雑音比算出部（信号対雑音比算出手段）を設け、この信号対雑音比算算出部で算出した信号対雑音比と、所定の閾値とを比較部１９で比較する構成としてもよい。この場合、信号対雑音比が所定の閾値よりも小さい場合に、比較部１９は、アンテナ切替部２０に対して、アンテナの切替を指示する構成としておけばよい。
【０１１９】
また、信号復調部１４に変調精度（ＥＶＭ）を算出する変調精度算出部（変調精度算出手段）を設け、この変調精度算出部で算出した変調精度と、所定の閾値とを比較部１９で比較する構成としてもよい。この場合、変調精度が所定の閾値よりも高い場合に、比較部１９は、アンテナ切替部２０に対して、アンテナの切替を指示する構成としておけばよい。
【０１２０】
さらに、受信電界強度、フレームエラー率、フレームの連続エラー回数、ビットエラー率、信号対雑音比、および、変調精度のうち、２つ以上を用いて、アンテナを切替えるか否かを判断する構成としてもよい。具体例としては、受信電界強度が所定の閾値より小さく、かつ、フレームエラー率が所定の閾値より大きい場合に、アンテナを切替える構成としてもよい。
【０１２１】
ところで、上記の実施の形態においては、フレームの種類が、リアルタイム性を要求するフレームである場合に、受信状態に応じて、受信に用いるアンテナを切替える構成を示したが、フレームのリアルタイム性の要求度合いの高い場合にのみ、受信に用いるアンテナを切替える構成としてもよい。
【０１２２】
つまり、フレームのリアルタイム性の要求度合いを示した指標を優先度とした場合、フレーム処理部１５でのフレーム処理結果に基づいて、フレームの優先度を識別する優先度識別部（優先度識別手段）と、前記優先度識別手段で識別された優先度が、所定の度合いよりも高いか否かを判断する優先度判断部（優先度判断手段）とを設けておき、フレームの送信宛先が自装置である場合であって、かつ、フレームの種類がリアルタイム性を要求するフレームである場合であって、かつ、上記優先度が所定の度合いより高い場合に、フレームの受信状態に応じて、受信に用いるアンテナを切替える構成としてもよい。
【０１２３】
この構成では、リアルタイム性を要求するフレームのうち、リアルタイム性の要求が高いフレームを精度よく受信できるため、より一層効率の高い受信が可能となる。
【０１２４】
また、上記実施の形態においては、フレームの送信宛先が自装置である場合に、フレームの受信状態に応じて、受信に用いるアンテナを切替える構成を説明したが、これに限定されるものではない。つまり、フレームの送信宛先を問わず、フレーム処理部でのフレーム処理結果に基づいて、受信に用いるアンテナを切替える構成としてもよい。なお、フレーム処理結果とは、フレームに含まれるデータ自体（図２参照）、並びに、フレームエラー率およびフレームの連続エラー回数等のフレーム処理を行った際に算出することができる値である。
【０１２５】
この構成の場合、単に、受信電界強度や信号変調時に求められるビットエラー率を基にアンテナを切替える構成と比較して、精度の高いアンテナ切替えを行うことができる。したがって、この構成でも、通信品質を低下させるような不適切なアンテナの切替えを抑えて、十分なゲイン（ダイバーシティ利得）を得ることが可能となる。
【０１２６】
また、信号復調部１４に、受信したフレームを基にフレーム長を算出するフレーム長算出部（フレーム長算出手段）と、前記算出したフレーム長が所定の長さ以上であるか否かを判断するフレーム長判断部（フレーム長判断手段）とを備える構成とし、前記フレーム長が所定の長さ以上の場合、前記アンテナ切替部２０が、前記フレームの受信状態に応じて、受信に用いるアンテナを切替える構成としてもよい。
【０１２７】
ここで、フレーム長の長いフレームは、ノイズ等の影響によりエラーがフレームにのったり、フレームの一部または全部が欠落してしまうおそれが、フレーム長が短いフレームよりも強い。それゆえ、フレーム長が長いフレームを精度よく受信できれば、効率のよい受信を実現できる。したがって、フレーム長が所定の長さ以上の場合、前記フレームの受信状態に応じて、受信に用いるアンテナを切替えることにより、効率のよい受信を実現することができる。
【０１２８】
また、信号復調部１４に、受信したフレームを基に変調速度を算出する変調速度算出部（変調速度算出手段）と、前記算出した変調速度が所定の速度以上であるか否かを判断する変調速部判断部（変調速度判断手段）とを備える構成とし、前記変調速度が所定の速度以上の場合、前記アンテナ切替部２０が、前記フレームの受信状態に応じて、受信に用いるアンテナを切替える構成としてもよい。
【０１２９】
なお、変調速度（変調レート）とは、ヘッダ情報、Frame body、および、ＦＣＳの変調レートのことである。この変調速度のフィールドは、図２では示していないが、ヘッダ情報の前に記憶されている（なお、上記フレーム長のフィールドも同様である）。そして、信号復調部１４では、この変調速度の情報を基に、ヘッダ情報、Frame body、および、ＦＣＳが復調されることとなる。
【０１３０】
ここで、変調速度が速いフレームは、ノイズ等の影響によりエラーがフレームにのるおそれが、変調速度が遅いフレームよりも強い。それゆえ、変調速度が速いフレームを精度よく受信できれば、効率のよい受信を実現できる。したがって、変調速度が所定の速度以上の場合、前記フレームの受信状態に応じて、受信に用いるアンテナを切替えることにより、効率のよい受信を実現することができる。
【０１３１】
〔実施の形態２〕
本発明の他の実施の形態について図４および図７に基づいて説明すれば、以下のとおりである。なお、説明の便宜上、上記の実施の形態１の図面に示した部材と同一の機能を有する部材については、同一の符号を付し、その説明を省略する。
【０１３２】
図４は、本実施の形態に係る無線受信装置１′の機能ブロック図である。上記無線受信装置１′は、同図に示すとおり、第１アンテナ１１、第２アンテナ１２、受信部１３、信号復調部１４、フレーム処理部１５′、上位処理部１６、第１識別部（第１識別手段）１７′、第２識別部（第２識別手段）１８、比較部（比較手段）１９、アンテナ切替部（アンテナ切替手段）２０′、第３識別部（第３識別手段）２２、第４識別部（第４識別手段）２３、第５識別部２４、データ書込処理部（書込手段）２５、記憶部（記憶手段）２６、データ読出処理部（読出手段）２７、および、アンテナ決定部（アンテナ決定手段）２８を備えている。また、受信部１３は、受信電界強度算出部（受信電界強度算出手段）２１′を備えている。
【０１３３】
上記フレーム処理部１５′は、実施の形態１で述べたフレームのヘッダ情報を、第１識別部１７′、第２識別部１８、第３識別部２２、第４識別部２３、および、第５識別部２４に通知する点を除けば、実施の形態１のフレーム処理部１５と同一の処理を行う。また、上記受信電界強度算出部２１′は、比較部１９とデータ書込処理部２５とに、算出した受信電界強度を通知する。
【０１３４】
上記第１識別部１７′は、フレーム処理部１５′で作成されたフレームに基づいて、フレームの送信宛先が自装置（無線受信装置１′）であるか否かを識別する。この識別は、実施の形態１の第１識別部１７と同じである。
【０１３５】
以下では、第１識別部１７′が、「フレームの送信宛先が自装置である」と識別した場合と、「フレームの送信宛先が自装置でない」と識別した場合とにわけて、各機能ブロックの機能を説明する。
【０１３６】
まず、第１識別部１７′が、「フレームの送信宛先が自装置である」と識別した場合について説明する。
【０１３７】
この場合には、第１識別部１７′は、上記第２識別部１８に対して、フレームの送信宛先が自装置である旨の情報を通知する。なお、第２識別部１８および比較部１９での処理は、実施の形態１において説明したので省略する。ただし、上記比較部１９は、実施の形態１のアンテナ切替部２０の代わりに、アンテナ切替部２０′に対して、切替指示を送る構成としている。
【０１３８】
アンテナ切替部２０′は、データ書込処理部２５に対して、使用しているアンテナ（第１アンテナ１１または第２アンテナ１２）を示す情報を通知する。この通知に際しては、例えば、第１アンテナ１１の場合は「１」という情報を、第２アンテナの場合は「２」という情報を通知する。
【０１３９】
なお、アンテナ切替部２０′による上記情報の通知の方法は、特に限定されるものではない。例えば、アンテナの切替処理を行った都度、データ書込処理部２５に対して、上記アンテナを示す情報を通知する構成としてもよい。あるいは、アンテナ切替部２０′が現在使用しているアンテナを示す情報を記憶する構成とし、かつ、例えば第１識別部１７′が、アンテナ切替部２０′に対して、データ書込処理部２５にアンテナを示す情報を送信するよう指示を送る構成としてもよい。あるいは、第５識別部２４が、第１識別部１７′の代わりに上記指示を送る構成としてもよい。
【０１４０】
上記第５識別部２４は、フレーム処理部１５で作成されたフレームに基づいて、フレームの送信元の無線通信装置を識別する。具体的には、上記フレーム内のAddress１（送信元のアドレス）のフィールドに基づいて、送信元のアドレスを識別する。そして、第５識別部２４は、識別した送信元のアドレスをデータ書込処理部２５に通知する。
【０１４１】
上記記憶部２６は、図５に示すような、送信元となる無線通信装置のアドレス（送信元のアドレス）と各アンテナ（１１・１２）とをパラメータとするテーブルを予め備えている。そして、詳しくは後述するが、送信元のアドレスとアンテナとに対応して、上記テーブルには受信電界強度が書込まれる。
【０１４２】
データ書込処理部２５は、アンテナ切替部２０′から上記使用しているアンテナを示す情報を、受信電界強度算出部２１′から受信電界強度データを、および、第５識別部２４から上記送信元のアドレスを受信する。そして、データ書込処理部２５は、上記使用しているアンテナと送信元のアドレスとに基づいて、受信電界強度を記憶部２６に書込む。
【０１４３】
また、アンテナ切替部２０′でアンテナの切替処理がなされた場合には、データ書込処理部２５は、切替え後において使用しているアンテナと送信元のアドレスとに基づいて、切替え後において使用しているアンテナでの受信電界強度を記憶部２６に書込む。
【０１４４】
また、送信元の無線通信装置が他の無線通信装置に変更された場合には、データ書込処理部２５は、他の無線通信装置のアドレス（送信元のアドレス）と使用しているアンテナとに基づいて、受信電界強度を記憶部２６に書込む。なお、他の無線通信装置との通信中に、アンテナを切替えた場合には、データ書込処理部２５は、送信元のアドレスと切替え後における使用しているアンテナとに基づいて、切替え後における使用しているアンテナでの受信電界強度を記憶部２６に書込む。
【０１４５】
この結果、記憶部２６には、例えば、図６に示すようなテーブル情報が記憶されることとなる。例えば、アドレスが「００１」の無線通信装置に対して、アンテナ「１」（つまり、第１のアンテナ１１）を用いた場合には、受信電界強度として「３１」が、アンテナ「２」（つまり、第２アンテナ１２）を用いた場合には、受信電界強度として「１０」が書込まれる。
【０１４６】
また、アドレスが「００２」の無線通信装置に対して、アンテナ「１」または「２」を用いた場合における受信電界強度データはないため、同図においては空欄となっている。さらに、アドレスが「００４」の無線通信装置に対して、アンテナ「２」を用いた場合には、受信電界強度として「１０」が書込まれているが、アンテナ「１」を用いた場合における受信電界強度データはないため、この箇所については空欄となっている。
【０１４７】
以上のように、上記無線受信装置１′は、通信装置から送信され、かつ、受信したフレームに基づいて、前記フレームの送信宛先が自装置であるか否かを識別する第１識別部（第１識別手段）１７′を備え、前記フレームの送信宛先が自装置１′である場合、前記フレームの受信状態（受信電界強度で示される受信状態）に応じて、受信に利用するアンテナ（１１・１２）を切替える構成である。したがって、実施の形態１で示した無線受信装置１で得られる効果と同じ効果を得ることができる。さらに、送信元のアドレスとアンテナとに対応させて、上記記憶部２６のテーブルに受信電界強度を記憶させることもできる。
【０１４８】
なお、上記のようなテーブルを用いた受信電界強度の記憶部２６に対する記憶手法は一例であって、これに限定されるものではない。あくまで、データ書込処理部２５が、記憶部２６に対して、フレームの送信元と、受信に用いているアンテナで得られる受信電界強度（通信状態）とを関連付けて書込む構成であればよい。
【０１４９】
また、既に、受信電界強度が記憶部２６に書込まれている場合、この記憶部２６に記憶された受信電界強度データを更新すべく、上書き処理を行う構成とする。さらに、新たな通信装置が、無線受信装置１′が加入しているネットワークに参加した場合であって、テーブルにアドレスがない場合には、新たにアドレスを追加する構成とする。
【０１５０】
次に、第１識別部１７′が、「フレームの送信宛先が自装置でない」と識別した場合について説明する。
【０１５１】
この場合、第１識別部１７′は、上記第３識別部２２に対して、フレームの送信宛先が自装置でない旨の情報を通知する。上記第３識別部２２は、フレームの送信宛先が自装置でない旨の情報を受信すると、フレーム処理部１５で作成されたフレームに、フレームの送信権の付与を示すデータが含まれているか否かを識別する。
【０１５２】
つまり、複数の無線通信装置、および中央管理装置が通信ネットワークを介して接続されているネットワークシステムであって、上記中央管理装置が上記ネットワークシステムにおける送信権を管理する構成では、上記通信ネットワークを介してデータの送信ができる通信装置は、その時点で送信権を有している無線通信装置となる。そして、このようなネットワークシステムでは、中央制御装置が、無線通信装置に対して、送信権の付与を示すフレーム（ＱｏＳ−ＣＦ（Contention Free）−Ｐｏｌｌフレーム）を送信する。このため、上記第３識別部２２が、上記フレーム処理部１５で作成されたフレームに、フレームの送信権の付与を示すデータが含まれているか否かを識別する構成としている。
【０１５３】
そして、第３識別部２２が、フレームの送信権の付与を示すデータが含まれていると判断した場合、第４識別部２３に対して、フレームの送信権の付与を示すデータが含まれていることを通知する。そして、第４識別部２３は、フレームの送信権の付与を示すデータが含まれている旨の通知を受信した場合には、上記フレームに基づいて、送信権が付与される無線通信装置を識別する。具体的には、実施の形態１で示したように、フレーム内のAddress２（送信宛先のアドレス）のフィールドに基づいて、送信宛先のアドレスを識別する。さらに、第４識別部２３は、上記データ読出処理部２７に対して、上記識別したアドレスのデータ（以下、アドレスデータと称する）を送る。
【０１５４】
上記データ読出処理部２７は、第４識別部２３からアドレスデータを受信する。そして、データ読出処理部２７は、上記受信したアドレスデータに基づいて、記憶部２６から受信電界強度を読出す。詳しくは、アドレスに対応する受信電界強度を、アンテナ毎に読出す。例えば、上記アドレスが「００１」である場合、アンテナ番号「１」（つまり第１アンテナ１１）を用いた際の受信電界強度が３１であり、アンテナ番号「２」（つまり、第２アンテナ１２）を用いた際の受信電界強度が１０であることがデータ読出処理部２７により読出される（図６参照）。
【０１５５】
そして、上記データ読出処理部２７は、記憶部２６から読出した、アンテナ番号と、該アンテナ番号に対応する受信電界強度データとの情報を、アンテナ毎に上記アンテナ決定部２８に通知する。
【０１５６】
上記アンテナ決定部２８は、データ読出処理部２７がアンテナ決定部２８宛てに送信した上記情報を受信する。そして、アンテナ決定部２８は、上記情報を受信すると、まず、フレームの送信元の無線通信装置に関する、各アンテナにおける受信電界強度データが、両アンテナ（１１・１２）について記憶されているか否かを判断する。また、アンテナ決定部２８は、各アンテナにおける受信電界強度データから、これらアンテナ間での受信電界強度の大小を判断する。
【０１５７】
さらに、アンテナ決定部２８は、上記判断した結果に基づいて、今後使用するアンテナを決定する。具体的には、現在使用しているアンテナでの受信電界強度が、他のアンテナでの受信電界強度よりも大きい場合には、現在使用しているアンテナを今後も使用するとの決定を行う。一方、現在使用しているアンテナでの受信電界強度が、他のアンテナでの受信電界強度よりも小さい場合には、今後、他のアンテナを使用するとの決定を行う。
【０１５８】
例えば、上記アドレスが「００１」の場合、アンテナ決定部２８は、まず、第１アンテナ１１での受信電界強度と、第２アンテナ１２での受信電界強度との大小を判断する。ここで、第１アンテナ１１での受信電界強度の方が、第２アンテナ１２での受信電界強度よりも大きいため、現在使用しているアンテナが第１アンテナ１１である場合には、現在使用しているアンテナ（つまり、第１アンテナ１１）を今後も使用するとの決定を行う。一方、現在使用しているアンテナが第２アンテナ１２である場合には、今後、他のアンテナ（つまり、第１アンテナ１１）を使用するとの決定を行う。
【０１５９】
さらに、アンテナ決定部２８は、アンテナ切替部２０′に対して、今後の使用を決定したアンテナを通知する。なお、上記記憶部２６に１つのアンテナでの受信電界強度しか記憶されていない場合や、記憶部２６に１つも受信電界強度が記憶されていない場合には、アンテナ決定部２８は、アンテナ切替部２０′に対して、上記通知を行うことなく処理を終了する。
【０１６０】
アンテナ切替部２０′は、アンテナ決定部２８からの通知を受けると、この通知に応じて、アンテナの切替処理を行う。つまり、アンテナ決定部２８からの通知が、現在使用しているアンテナである場合にはアンテナの切替処理を行わず、上記通知が、現在使用していないアンテナである場合にはアンテナの切替処理を行う。
【０１６１】
以上のように、上記無線受信装置１′は、各アンテナ（１１・１２）における自装置宛てのフレームの受信状態（電界受信強度）を、通信装置毎に記憶した記憶部（記憶手段）２６と、前記フレームの送信宛先が自装置１′でない場合、受信したフレームに、フレームの送信権の付与を示すデータが含まれているか否かを識別する第３識別部（第３識別手段）２２と、前記受信したフレームに送信権の付与を示すデータが含まれている場合、受信したフレームに基づいて、送信権が付与される通信装置を識別する第４識別部（第４識別手段）２３と、前記送信権を付与される通信装置について、記憶部２６から、各アンテナ（１１・１２）における自装置宛てのフレームの受信状態を読出すデータ読出処理部（読出手段）２７と、前記読出した受信状態に基づいて、受信に用いるアンテナを決定するアンテナ決定部（アンテナ決定手段）２８とを備える構成である。
【０１６２】
上記の構成によれば、送信宛先が自装置１′でないフレームを受信した場合、第３識別部２２により、受信したフレームに、フレームの送信権の付与を示すデータが含まれているか否かが識別される。そして、受信したフレームに送信権の付与を示すデータが含まれている場合、第４識別部２３により、受信したフレームに基づいて、送信権が付与される通信装置が識別される。それゆえ、上記第３識別部２２および第４識別部２３により、次に送信権を有する通信装置を識別することができる。
【０１６３】
また、記憶部２６は、各アンテナ（１１・１２）における自装置宛てのフレームの受信状態を、通信装置毎に記憶している。そして、データ読出処理部２７により、前記送信権を付与される通信装置について、記憶部２６から、各アンテナ（１１・１２）における自装置宛てのフレームの受信状態を読出せる。つまり、上記データ読出処理部２７により、次に送信権を有する通信装置に対し、各アンテナ（１１・１２）を用いた場合における受信状態を記憶部２６から読出すことができる。
【０１６４】
さらに、アンテナ決定部２８により、読出した受信状態に基づいて、受信するためのアンテナが決定される。例えば、受信状態の最も優れたアンテナを、通信に利用するアンテナと決定すればよい。
【０１６５】
したがって、上記決定に従って、通信に利用するアンテナ（１１・１２）を切替えることにより、自装置１′におけるフレームの受信状態を良好にすることが可能となる。
【０１６６】
また、上記無線受信装置１′は、上記フレームの送信宛先が自装置１′である場合、上記記憶部２６に、フレームの送信元と、受信に用いているアンテナでの受信状態とを関連付けて書込むデータ書込処理部（書込手段）２５を備える構成である。
【０１６７】
上記の構成によれば、上記フレームの送信宛先が自装置１′である場合、データ書込処理部２５により、上記記憶部２６に、フレームの送信元と、受信に用いているアンテナでの通信状態とが関連付けて書込まれる。
【０１６８】
したがって、記憶部２６に、受信状態の情報を記憶させることができる。それゆえ、以後のアンテナ切替処理において、データ書込処理部２５により書込まれた受信状態の情報を利用することができる。
【０１６９】
次に、上記無線受信装置１′におけるアンテナ切替処理のフローを、図７のフローチャートに基づいて説明する。
【０１７０】
まず、何れかのアンテナ（１１・１２）により電波（信号）を受信する（Ｓ１１）。ここで、何れかのアンテナとは、該電波を受信する直前まで用いられていたアンテナである。Ｓ１１の後は、受信電界強度算出部２１′が、受信電界強度を算出する（Ｓ１２）。また、Ｓ１２の後は、信号復調部１４が、信号を復調する（Ｓ１３）。
【０１７１】
Ｓ１３の後は、復調された信号に基づいて、フレーム処理部１５が、フレーム処理を行って、フレームを作成する（Ｓ１４）。そして、Ｓ１４の後は、第１識別部１７′が、上記フレームに基づいて、フレームの送信宛先が自装置であるか否かを識別する（Ｓ１５）。
【０１７２】
上記Ｓ１５において、フレームの送信宛先が自装置である場合（Ｙｅｓの場合）、データ書込処理部２５が、記憶部２６に対して、フレームの送信元と、通信に利用しているアンテナで得られる受信電界強度とを関連付けて書込む。（Ｓ１６）。また、フレームの送信宛先が自装置である場合には、さらに、第２識別部１８が、フレームの種類がＱｏＳデータフレームであるか否かを識別する（Ｓ１７）。
【０１７３】
上記Ｓ１７において、フレームの種類がＱｏＳデータフレームでない場合（Ｎｏの場合）には、アンテナ切替処理を行わずに、処理を終了する。一方、フレームの種類がＱｏＳデータフレームの場合には、比較部１９が、受信電界強度算出部２１′により算出された受信電界強度と、所定の閾値との大小を比較する。具体的には、受信電界強度が所定の閾値よりも小さいか否かが判断される（Ｓ１８）。
【０１７４】
上記Ｓ１８において、受信電界強度が所定の閾値よりも大きい場合（Ｎｏの場合）には、アンテナの切替処理を行わずに、処理を終了する。一方、受信電界強度が所定の閾値よりも小さい場合（Ｙｅｓの場合）には、アンテナ切替部２０′が、アンテナの切替処理を行う（Ｓ１９）。上記Ｓ１９の後は、処理を終了する。
【０１７５】
一方、Ｓ１５において、フレームの送信宛先が自装置でない場合（Ｎｏの場合）、上記第３識別部２２が、フレーム処理部１５で作成されたフレームに、フレームの送信権の付与を示すデータが含まれているか否かを判定する。つまり、第３識別部２２が、フレーム処理部１５で作成されたフレームが、送信権の付与を示すフレーム（ＱｏＳ−ＣＦ（Contention Free）−Ｐｏｌｌフレーム）であるか否かを判定する（Ｓ２０）。
【０１７６】
上記Ｓ２０において、作成されたフレームがＱｏＳ−ＣＦ−Ｐｏｌｌフレームでない場合（Ｎｏの場合）、処理を終了する。一方、Ｓ２０において、作成されたフレームがＱｏＳ−ＣＦ−Ｐｏｌｌフレームである場合（Ｙｅｓの場合）、第４識別部２３が、フレーム処理部１５で作成されたフレームに基づいて、フレームの送信元の通信装置を識別する（Ｓ２１）。
【０１７７】
上記Ｓ２１の後は、アンテナ決定部２８によって、記憶部２６のテーブルに、フレームの送信元の無線通信装置に関する、各アンテナにおける受信電界強度データが、両アンテナ（１１・１２）について記憶されているか否かが判断される（Ｓ２２）。
【０１７８】
上記Ｓ２２において、両アンテナ（１１・１２）について受信電界強度が記憶されていない場合（Ｎｏの場合）、処理を終了する。一方、上記Ｓ２２において、両アンテナ（１１・１２）について受信電界強度が記憶されている場合（Ｙｅｓの場合）、アンテナ決定部２８が、各アンテナにおける受信電界強度データから、これらアンテナ間での受信電界強度の大小を判定する。具体的には、現在使用しているアンテナでの受信電界強度が、他のアンテナでの受信電界強度よりも小さいか否かが判断される（Ｓ２３）。
【０１７９】
上記Ｓ２３において、現在使用しているアンテナでの受信電界強度が、他のアンテナでの受信電界強度よりも大きい場合（Ｎｏの場合）には、アンテナ切替部２０′は、アンテナの切替処理を行わずに、処理を終了する。一方、Ｓ２３において、現在使用しているアンテナでの受信電界強度が、他のアンテナでの受信電界強度よりも小さい場合（Ｙｅｓの場合）には、アンテナ切替部２０′は、アンテナの切替処理を行う（Ｓ１９）。
【０１８０】
なお、Ｓ１２で示す受信電界強度の算出ステップは、必ずしも、Ｓ１３で示す信号の復調ステップの前に行う必要はなく、少なくとも、Ｓ１６で示すステップまでに行えばよい。
【０１８１】
また、本実施の形態においても上記実施の形態１と同様に、アンテナ数は２つに限定されるものではない。
【０１８２】
また、本実施の形態においても上記実施の形態１と同様に、無線受信装置１′の構成を、第２識別部１８を備えない構成としてもよい。
【０１８３】
また、上記実施の形態１と同様に、フレーム処理部１５にフレームエラー率を算出するフレームエラー率算出部を設け、このフレームエラー率算出部で算出したフレームエラー率と、所定の閾値とを比較部１９で比較する構成としてもよい。
【０１８４】
また、フレーム処理部１５にフレームの連続エラー回数を算出する連続エラー算出部を設け、この連続エラー算出部で算出したフレームの連続エラー回数と、所定の閾値とを比較部１９で比較する構成としてもよい。
【０１８５】
また、信号復調部１４にビットエラー率を算出するビットエラー率算出部を設け、このビットエラー率算出部で算出したビットエラー率と、所定の閾値とを比較部１９で比較する構成としてもよい。
【０１８６】
また、信号復調部１４に信号対雑音比（ＳＮＲ）を算出する信号対雑音比算出部（信号対雑音比算出手段）を設け、この信号対雑音比算算出部で算出した信号対雑音比と、所定の閾値とを比較部１９で比較する構成としてもよい。
【０１８７】
また、信号復調部１４に変調精度（ＥＶＭ）を算出する変調精度算出部（変調精度算出手段）を設け、この変調精度算出部で算出した変調精度と、所定の閾値とを比較部１９で比較する構成としてもよい。
【０１８８】
さらに、受信電界強度、フレームエラー率、フレームの連続エラー回数、ビットエラー率、信号対雑音比、および、変調精度のうち、２つ以上を用いて、アンテナを切替えるか否かを判断する構成としてもよい。
【０１８９】
なお、フレームエラー率、フレームの連続エラー回数、ビットエラー率、信号対雑音比、および／または、変調精度を用いる場合には、これらの値を、上記受信電界強度と同様なテーブルに記憶して利用する構成とする。
【０１９０】
また、実施の形態１でも示したとおり、フレームのリアルタイム性の要求度合いの高い場合にのみ、受信に用いるアンテナを切替える構成としてもよい。
【０１９１】
また、本実施の形態でも、実施の形態１に示したように、フレームの送信宛先を問わず、フレーム処理部でのフレーム処理結果に基づいて、受信に用いるアンテナを切替える構成としてもよい。
【０１９２】
また、実施の形態１と同様に、信号復調部１４に上記フレーム長算出部およびフレーム長判断部を設け、フレーム長が所定の長さ以上の場合、前記フレームの受信状態に応じて、受信に用いるアンテナを切替える構成とすることもできる。
【０１９３】
また、実施の形態１と同様に、信号復調部１４に上記変調速度算出部および変調速度判断部を設け、変調速度が所定の速度以上の場合、フレームの受信状態に応じて、受信に用いるアンテナを切替える構成としてもよい。
【０１９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９５】
また、上記無線受信装置（１・１′）を無線通信装置が備えることにより、無線通信装置にて、上述した無線受信装置の効果を得ることができる。
【０１９６】
なお、上記実施形態の無線受信装置（１・１′）の各部（アンテナおよび記憶部を除く）や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読取り、当該プログラムを実行するだけで、本実施形態の無線受信装置（１・１′）の各種機能および各種処理を実現することができる。また、上記プログラムをリムーバブルな記録媒体に記録することにより、任意のコンピュータ上で上記の各種機能および各種処理を実現することができる。
【０１９７】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１９８】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１９９】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２００】
また、インターネットを含む通信ネットワークを接続可能なシステム構成であれば、通信ネットワークからプログラムをダウンロードするように流動的にプログラムを担持する記録媒体であることが好ましい。
【０２０１】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２０２】
携帯電話機や通信機能を有するＰＤＡ（Personal Digital Assistant）等の移動体通信機器、その他の無線通信装置等に適用可能である。
【図面の簡単な説明】
【０２０３】
【図１】本発明の実施の形態に係る無線受信装置の機能ブロック図である。
【図２】上記無線受信装置が受信するフレームのフォーマットの例を示した図である。
【図３】上記無線受信装置におけるアンテナ切替処理のフローを示したフローチャートである。
【図４】本発明の他の実施の形態に係る無線受信装置の機能ブロック図である。
【図５】受信電界強度が記憶されるテーブルを示した図である。
【図６】上記テーブルに受信電界強度が書込まれた状態を示した図である。
【図７】上記無線受信装置におけるアンテナ切替処理のフローを示したフローチャートである。
【図８】従来の無線受信装置の機能ブロック図である。
【符号の説明】
【０２０４】
１・１′  無線受信装置
１１  第１アンテナ
１２  第２アンテナ
１３  受信部
１４  信号復調部
１５  フレーム処理部
１６  上位処理部
１７・１７′  第１識別部（第１識別手段）
１８  第２識別部（第２識別手段）
１９  比較部（比較手段）
２０・２０′  アンテナ切替部（アンテナ切替手段）
２１・２１′  受信電界強度算出部（受信電界強度算出手段）
２２  第３識別部（第３識別手段）
２３  第４識別部（第４識別手段）
２４  第５識別部
２５  データ書込処理部（書込手段）
２６  記憶部（記憶手段）
２７  データ読出処理部（読出手段）
２８  アンテナ決定部（アンテナ決定部）
【図１】
2005268959.tif 000003
【図２】
2005268959.tif 000004
【図３】
2005268959.tif 000005
【図４】
2005268959.tif 000006
【図５】
2005268959.tif 000007
【図６】
2005268959.tif 000008
【図７】
2005268959.tif 000009
【図８】
2005268959.tif 000010
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
複数のアンテナを備え、受信に用いるアンテナを前記複数のアンテナ間で切替える無線受信装置において、
通信装置から送信され、かつ、受信したフレームを処理するフレーム処理手段と、
前記フレーム処理手段でのフレーム処理結果に基づいて、前記フレームの送信宛先が自装置であるか否かを識別する第１識別手段と、
前記フレーム処理手段でのフレーム処理結果に基づいて、前記フレームの種類がＱｏＳデータフレームであるか否かを識別する第２識別手段と、
前記フレームの送信宛先が自装置である場合であって、かつ、前記フレームの種類がＱｏＳデータフレームである場合に、前記フレームの受信状態に応じて、受信に用いるアンテナを切替えるアンテナ切替手段とを備えることを特徴とする無線受信装置。
【請求項２】
複数のアンテナを備え、受信に用いるアンテナを前記複数のアンテナ間で切替える無線受信装置において、
通信装置から送信され、かつ、受信したフレームを処理するフレーム処理手段と、
前記フレーム処理手段でのフレーム処理結果に基づいて、前記フレームの送信宛先が自装置であるか否かを識別する第１識別手段と、
前記フレーム処理手段でのフレーム処理結果に基づいて、前記フレームの種類がＱｏＳデータフレームであるか否かを識別する第２識別手段と、
フレームのリアルタイム性の要求度合いを示した指標を優先度とした場合、前記フレーム処理手段でのフレーム処理結果に基づいて、前記フレームの優先度を識別する優先度識別手段と、
前記優先度識別手段で識別された優先度が、所定の度合いよりも高いか否かを判定する判定手段と、
前記フレームの送信宛先が自装置である場合であって、かつ、前記フレームの種類がＱｏＳデータフレームである場合であって、かつ、前記優先度が所定の度合いよりも高い場合に、前記フレームの受信状態に応じて、受信に用いるアンテナを切替えるアンテナ切替手段とを備えることを特徴とする無線受信装置。
【請求項３】
各アンテナにおける自装置宛てのフレームの受信状態を、通信装置毎に記憶した記憶手段と、
前記フレームの送信宛先が自装置でない場合、前記フレーム処理手段でのフレーム処理結果に基づいて、受信したフレームにフレームの送信権の付与を示すデータが含まれているか否かを識別する第３識別手段と、
前記受信したフレームに送信権の付与を示すデータが含まれている場合、前記フレーム処理手段でのフレーム処理結果に基づいて、送信権が付与される通信装置を識別する第４識別手段と、
前記送信権を付与される通信装置について、前記記憶手段から、各アンテナにおける自装置宛てのフレームの受信状態を読出す読出手段と、
前記読出した受信状態に基づいて、受信に用いるアンテナを決定するアンテナ決定手段とを備えることを特徴とする請求項１または２に記載の無線受信装置。
【請求項４】
前記フレームの送信宛先が自装置である場合、前記記憶手段に、フレームの送信元と、受信に用いているアンテナでの受信状態とを関連付けて書込む書込手段を備えることを特徴とする請求項３記載の無線通信装置。
【請求項５】
受信したフレームを基に、受信電界強度を算出する受信電界強度算出手段と、
前記算出した受信電界強度と、所定の閾値とを比較する比較手段とを備え、
前記受信状態は、前記受信電界強度で示されるものであって、
前記受信電界強度が前記所定の閾値より小さい場合、前記アンテナ切替手段は、受信に用いるアンテナを切替えることを特徴とする請求項１から４の何れか１項に記載の無線受信装置。
【請求項６】
受信したフレームを基に、変調精度を算出する変調精度算出手段と、
前記算出した変調精度と、所定の閾値とを比較する比較手段とを備え、
前記通信状態は、前記変調精度により示されるものであって、
前記変調精度が前記所定の閾値よりも高い場合、前記アンテナ切替手段は、受信に利用するアンテナを切替えることを特徴とする請求項１から４の何れか１項に記載の無線受信装置。
【請求項７】
受信したフレームを基に、信号対雑音比を算出する信号対雑音比算出手段と、
前記算出した信号対雑音比と、所定の閾値とを比較する比較手段とを備え、
前記通信状態は、前記信号対雑音比により示されるものであって、
前記信号対雑音比が前記所定の閾値よりも小さい場合、前記アンテナ切替手段は、受信に利用するアンテナを切替えることを特徴とする請求項１から４の何れか１項に記載の無線受信装置。
【請求項８】
受信したフレームを基に、ビットエラー率を算出するビットエラー率算出手段と、
前記算出したビットエラー率と、所定の閾値とを比較する比較手段とを備え、
前記受信状態は、前記ビットエラー率で示されるものであって、
前記ビットエラー率が前記所定の閾値より高い場合、前記アンテナ切替手段は、受信に用いるアンテナを切替えることを特徴とする請求項１から４の何れか１項に記載の無線受信装置。
【請求項９】
受信したフレームを基に、フレームエラー率を算出するフレームエラー率算出手段と、
前記算出したフレームエラー率と、所定の閾値とを比較する比較手段とを備え、
前記受信状態は、前記フレームエラー率で示されるものであって、
前記フレームエラー率が前記所定の閾値より高い場合、前記アンテナ切替手段は、受信に用いるアンテナを切替えることを特徴とする請求項１から４の何れか１項に記載の無線受信装置。
【請求項１０】
受信したフレームを基に、フレームの連続エラー回数を算出する連続エラー算出手段と、
前記算出したフレームの連続エラー回数と、所定の閾値とを比較する比較手段とを備え、
前記受信状態は、前記フレームの連続エラー回数で示されるものであって、
前記フレームの連続エラー回数が前記所定の閾値より多い場合、前記アンテナ切替手段は、受信に用いるアンテナを切替えることを特徴とする請求項１から４の何れか１項に記載の無線受信装置。
【手続補正２】
【補正対象書類名】明細書
【補正対象項目名】全文
【補正方法】変更
【補正の内容】
【発明の詳細な説明】
【技術分野】
【０００１】
本発明は、複数のアンテナを備え、受信状態に応じてアンテナの切替えを行う無線受信装置に関する。
【背景技術】
【０００２】
無線通信では、受信する電波の強さ（受信電界強度）が変動するフェージング現象によって、通信品質が劣化することがある。このため、上記フェージング対策として、ダイバーシティ技術が用いられている。
【０００３】
ダイバーシティ技術の一例としては、無線受信装置に複数のアンテナを備えておき、受信電界強度が所定のレベル以下となった場合に、使用するアンテナを切替えて電波の受信を行う技術が挙げられる。また、受信電界強度以外にも、例えば、受信した信号に関する、信号対雑音比（ＳＮＲ：Signal Noise Ratio）、あるいは、変調精度（ＥＶＭ：Error Vector Magnitude）の値に基づいて、アンテナを切替えることも行われている。なお、上記アンテナは、ダイバーシティアンテナと称されている。
【０００４】
上記ダイバーシティアンテナを備える一般的な無線受信装置は、複数のアンテナ以外に、この複数のアンテナに共通に利用される受信部を備えている。ここで、上記無線受信装置の一構成例について、図８に基づいて説明する。なお、同図に示す無線受信装置９０は、受信電界強度に基づいてアンテナを切替える構成であって、アンテナを２つ備える構成の装置である。また、以下の説明では、無線受信装置９０は、電波（信号）の送信元となる通信装置が作成したフレームを、該通信装置が変調処理した後の信号（変調信号）を受信するものとする。
【０００５】
上記無線受信装置９０は、同図に示すとおり、第１アンテナ９１、第２アンテナ９２、受信部９３、信号復調部９４、フレーム処理部９５、上位処理部９６、比較部９７、および、アンテナ切替部９８を備えている。また、受信部９３は、受信電界強度算出部９９を備えている。
【０００６】
上記無線受信装置９０では、第１アンテナ９１または第２アンテナ９２によって、外部からの信号（変調信号）を受信する。なお、同図においては、第２アンテナ９２が用いられている状態が示されている。
【０００７】
上記受信部９３は、この受信部９３に接続されたアンテナ（同図では、第２アンテナ９２）を介して、変調信号を受信する。そして、受信部９３は、信号復調部９４に信号を送る。また、受信部９３内の受信電界強度算出部９９は、受信した変調信号から受信電界強度を算出する。
【０００８】
上記信号復調部９４は、受信部９３を介して送られてきた変調信号を復調する。そして、復調した信号（復調信号）をフレーム処理部９５に送る。上記フレーム処理部９５は、復調信号からフレームを作成する。より詳しくは、フレーム処理部９５は、上記変調信号を、フレームタイプ、送信元アドレス、送信先アドレス等のヘッダ情報と、フレームボディであるペイロードデータと、ＦＣＳ（Frame Check Sequence：フレーム検査シーケンス）とに復元する。そして、フレーム処理部９５は、これらヘッダ情報、ペイロードデータ、および、ＦＣＳを、上位処理部９６に送る。
【０００９】
上位処理部９６は、例えば、フレームが映像フレームであれば、映像表示装置（図示せず）で表示可能なフォーマットに変換する。また、上位処理部９６は、フレームに暗号化処理が施されている場合には、復号処理を行う。また、フレームによっては、フレームの送信元である送信装置に対して、無線受信装置が応答する必要がある。このような場合、上位処理部９６は、応答する必要の有無を判断して、必要な場合には送信用のフレームを作成する。
【００１０】
上記比較部９７は、受信電界強度算出部９９で算出された受信電界強度と、所定の閾値との比較を行う。そして、比較部９７は、受信電界強度が所定の閾値より小さい場合、アンテナ切替部９８に対して、アンテナの切替指示を送る。なお、比較部９７は、受信電界強度が所定の閾値より大きい場合、アンテナ切替部９８に対して、アンテナ切替指示を送ることなく処理を終了する。
【００１１】
上記アンテナ切替部９８は、比較部９７からの切替指示に応じて、通信に用いるアンテナを第１アンテナ９１と第２アンテナ９２との間で切替える。つまり、受信部９３に接続するアンテナを選択的に切替える。例えば、同図では、第２アンテナ９２が用いられているが、受信電界強度が所定の閾値より小さくなった場合、アンテナ切替部９８によって、第２アンテナ９２から第１アンテナ９１に切替えられる。
【００１２】
また、特許文献１には、単に受信電界強度だけではなく、受信データのビットエラー率をも加味してアンテナの切替えを行うことにより、通信品質を劣化させることなくダイバーシティ利得を向上させる受信機が開示されている。
【特許文献１】特開平９−１９１３０５号（公開日：平成９年７月２２日）
【発明の開示】
【発明が解決しようとする課題】
【００１３】
しかしながら、上記無線受信装置９０では、以下のような問題が生じる。
【００１４】
例えば、上記無線受信装置９０と複数の無線通信装置とが存在し、各装置間で通信が行われる場合、上記無線受信装置９０以外の装置間の通信で用いられる電波やノイズを、アンテナを介して無線受信装置９０が受信してしまう場合がある。そして、上記受信した電波やノイズの受信電界強度が所定の閾値よりも小さければ、アンテナの切替えを行ってしまう。このため、無線受信装置９０の通信品質が低下するという問題が生じる。
【００１５】
また、上記特許文献１でも、上記無線受信装置と同様に、以下のような問題が生じる。
【００１６】
例えば、上記特許文献１の受信機と複数の無線通信装置とが存在し、各装置間で通信が行われる場合、上記受信機以外の装置間の通信で用いられる電波やノイズを、アンテナを介して受信機が受信してしまう場合がある。そして、上記受信した電波やノイズから算出されるビットエラー率が所定の閾値よりも大きければ、アンテナの切替えを行ってしまう。このため、上記受信機の通信品質が低下するという問題が生じる。
【００１７】
本発明は、上記の問題点に鑑みてなされたものであり、その目的は、通信品質を低下させるような不適切なアンテナの切替えを抑えて、十分なゲイン（ダイバーシティ利得）を得ることが可能な無線受信装置を提供することにある。
【課題を解決するための手段】
【００１８】
本発明に係る無線受信装置は、上記の課題を解決するため、複数のアンテナを備え、受信に用いるアンテナを前記複数のアンテナ間で切替える無線受信装置において、通信装置から送信され、かつ、受信したフレームを処理するフレーム処理手段と、前記フレーム処理手段でのフレーム処理結果に基づいて、前記フレームの送信宛先が自装置であるか否かを識別する第１識別手段と、前記フレーム処理手段でのフレーム処理結果に基づいて、前記フレームの種類がＱｏＳデータフレームであるか否かを識別する第２識別手段と、前記フレームの送信宛先が自装置である場合であって、かつ、前記フレームの種類がＱｏＳデータフレームである場合に、前記フレームの受信状態に応じて、受信に用いるアンテナを切替えるアンテナ切替手段とを備えることを特徴としている。
【００１９】
上記の構成によれば、アンテナ切替手段は、フレーム処理手段によるフレーム処理結果に基づいて、受信に用いるアンテナを切替える。ここで、フレーム処理結果とは、フレームに含まれるデータ自体、並びに、フレームエラー率およびフレームの連続エラー回数等のフレーム処理を行った際に算出することができる値を指す。
【００２０】
それゆえ、単に、受信電界強度や信号変調時に求められるビットエラー率を基にアンテナを切替える構成と比較して、精度の高いアンテナ切替えを行うことができる。
【００２１】
したがって、通信品質を低下させるような不適切なアンテナの切替えを抑えて、十分なゲイン（ダイバーシティ利得）を得ることが可能な無線受信装置を提供することができるという効果を奏する。
【００２２】
また、上記の構成によれば、第１識別手段により、前記フレーム処理手段でのフレーム処理結果に基づいて、該フレームの送信宛先が自装置であるか否かを識別することができる。また、第２識別手段により、受信したフレームに基づいて、前記フレームの種類がリアルタイム性を要求するフレームであるか否かが識別される。そして、前記フレームの送信宛先が自装置である場合であって、かつ、上記フレームの種類がＱｏＳデータフレームである場合、アンテナ切替手段が、前記フレームの受信状態に応じて、受信に用いるアンテナを切替える。
【００２３】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【００２４】
また、上記ＱｏＳデータフレーム（リアルタイム性を要求するフレーム）は、一般に、フレーム長が長い。このため、ノイズ等の影響によりエラーがフレームにのったり、フレームの一部または全部が欠落してしまうおそれが、リアルタイム性を要求しないフレームよりも強い。それゆえ、ＱｏＳデータフレームを精度よく受信できれば、効率のよい受信を実現できる。
【００２５】
したがって、上述したようにフレームの送信宛先が自装置である場合であって、かつ、フレームの種類がＱｏＳデータフレームである場合に、該フレームの受信状態に応じて、受信に用いるアンテナを切替えることにより、効率のよい受信を実現することができるというという効果を奏する。
【００２６】
また、本発明に係る無線受信装置は、上記の課題を解決するため、複数のアンテナを備え、受信に用いるアンテナを前記複数のアンテナ間で切替える無線受信装置において、通信装置から送信され、かつ、受信したフレームを処理するフレーム処理手段と、前記フレーム処理手段でのフレーム処理結果に基づいて、前記フレームの送信宛先が自装置であるか否かを識別する第１識別手段と、前記フレーム処理手段でのフレーム処理結果に基づいて、前記フレームの種類がＱｏＳデータフレームであるか否かを識別する第２識別手段と、フレームのリアルタイム性の要求度合いを示した指標を優先度とした場合、前記フレーム処理手段でのフレーム処理結果に基づいて、前記フレームの優先度を識別する優先度識別手段と、前記優先度識別手段で識別された優先度が、所定の度合いよりも高いか否かを判定する判定手段と、前記フレームの送信宛先が自装置である場合であって、かつ、前記フレームの種類がＱｏＳデータフレームである場合であって、かつ、前記優先度が所定の度合いよりも高い場合に、前記フレームの受信状態に応じて、受信に用いるアンテナを切替えるアンテナ切替手段とを備えることを特徴としている。
【００２７】
上記の構成によれば、アンテナ切替手段は、フレーム処理手段によるフレーム処理結果に基づいて、受信に用いるアンテナを切替える。ここで、フレーム処理結果とは、フレームに含まれるデータ自体、並びに、フレームエラー率およびフレームの連続エラー回数等のフレーム処理を行った際に算出することができる値を指す。
【００２８】
それゆえ、単に、受信電界強度や信号変調時に求められるビットエラー率を基にアンテナを切替える構成と比較して、精度の高いアンテナ切替えを行うことができる。
【００２９】
したがって、通信品質を低下させるような不適切なアンテナの切替えを抑えて、十分なゲイン（ダイバーシティ利得）を得ることが可能な無線受信装置を提供することができるという効果を奏する。
【００３０】
また、上記の構成によれば、第１識別手段により、前記フレーム処理手段でのフレーム処理結果に基づいて、該フレームの送信宛先が自装置であるか否かを識別することができる。また、第２識別手段により、受信したフレームに基づいて、前記フレームの種類がリアルタイム性を要求するフレームであるか否かが識別される。さらに、優先度識別手段により、前記フレーム処理手段でのフレーム処理結果に基づいて、前記フレームの優先度が識別される。また、判定手段により、前記優先度識別手段で識別された優先度と、所定の度合いとが比較される。
【００３１】
そして、前記フレームの送信宛先が自装置である場合であって、かつ、前記フレームの種類がリアルタイム性を要求するフレームである場合であって、かつ、前記優先度が所定の度合いより高い場合に、アンテナ切替手段が、前記フレームの受信状態に応じて、受信に用いるアンテナを切替える。
【００３２】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【００３３】
また、上記ＱｏＳデータフレーム（リアルタイム性を要求するフレーム）は、一般に、フレーム長が長い。このため、ノイズ等の影響によりエラーがフレームにのったり、フレームの一部または全部が欠落してしまうおそれが、リアルタイム性を要求しないフレームよりも強い。それゆえ、ＱｏＳデータフレームを精度よく受信できれば、効率のよい受信を実現できる。
【００３４】
さらに、リアルタイム性を要求するフレームのうち、リアルタイム性の要求が高いフレームを精度よく受信できれば、より一層効率の高い受信が可能となる。
【００３５】
したがって、上述したようにフレームの送信宛先が自装置である場合であって、かつ、フレームの種類がＱｏＳデータフレームである場合であって、かつ、前記優先度が所定の度合いより高い場合に、該フレームの受信状態に応じて、受信に用いるアンテナを切替えることにより、効率のよい受信を実現することができるというという効果を奏する。
【００３６】
また、本発明に係る無線受信装置は、上記の無線受信装置において、各アンテナにおける自装置宛てのフレームの受信状態を、通信装置毎に記憶した記憶手段と、前記フレームの送信宛先が自装置でない場合、前記フレーム処理手段でのフレーム処理結果に基づいて、受信したフレームにフレームの送信権の付与を示すデータが含まれているか否かを識別する第３識別手段と、前記受信したフレームに送信権の付与を示すデータが含まれている場合、前記フレーム処理手段でのフレーム処理結果に基づいて、送信権が付与される通信装置を識別する第４識別手段と、前記送信権を付与される通信装置について、前記記憶手段から、各アンテナにおける自装置宛てのフレームの受信状態を読出す読出手段と、前記読出した受信状態に基づいて、受信に用いるアンテナを決定するアンテナ決定手段とを備えることを特徴としている。
【００３７】
上記の構成によれば、送信宛先が自装置でないフレームを受信した場合、第３識別手段により、前記フレーム処理手段でのフレーム処理結果に基づいて、受信したフレームにフレームの送信権の付与を示すデータが含まれているか否かが識別される。そして、受信したフレームに送信権の付与を示すデータが含まれている場合、第４識別手段により、前記フレーム処理手段でのフレーム処理結果に基づいて、送信権が付与される通信装置が識別される。それゆえ、上記第３識別手段および第４識別手段により、次に送信権を有する通信装置を識別することができる。
【００３８】
また、記憶手段は、各アンテナにおける自装置宛てのフレームの受信状態を、通信装置毎に記憶している。そして、読出手段により、前記送信権を付与される通信装置について、記憶手段から、各アンテナにおける自装置宛てのフレームの受信状態を読出せる。つまり、読出手段により、次に送信権を有する通信装置に対し、各アンテナを用いた場合における受信状態を記憶手段から読出すことができる。
【００３９】
さらに、アンテナ決定手段により、読出した受信状態に基づいて、受信するためのアンテナが決定される。例えば、受信状態の最も優れたアンテナを、通信に利用するアンテナと決定する構成とすればよい。
【００４０】
したがって、上記決定に従って、受信に利用するアンテナを切替えることにより、自装置におけるフレームの受信状態を良好にすることが可能となるという効果を奏する。
【００４１】
また、本発明に係る無線受信装置は、上記の無線受信装置において、前記フレームの送信宛先が自装置である場合、前記記憶手段に、フレームの送信元と、受信に用いているアンテナでの受信状態とを関連付けて書込む書込手段を備えることを特徴としている。
【００４２】
上記の構成によれば、前記フレームの送信宛先が自装置である場合、書込手段により、上記記憶手段に、フレームの送信元と、受信に用いているアンテナでの通信状態とが関連付けて書込まれる。
【００４３】
したがって、記憶手段に、受信状態の情報を記憶させることができる。それゆえ、以後のアンテナ切替処理において、書込手段により書込まれた受信状態の情報を利用することができるという効果を奏する。
【００４４】
また、本発明に係る無線受信装置は、上記の無線受信装置において、受信したフレームを基に、受信電界強度を算出する受信電界強度算出手段と、前記算出した受信電界強度と、所定の閾値とを比較する比較手段とを備え、前記受信状態は、前記受信電界強度で示されるものであって、前記受信電界強度が前記所定の閾値より小さい場合、前記アンテナ切替手段は、受信に用いるアンテナを切替えることを特徴としている。
【００４５】
上記の構成によれば、受信電界強度算出手段により、受信したフレームを基に、受信電界強度が算出される。また、比較手段により、上記算出した受信電界強度と、所定の閾値とが比較される。そして、上記受信電界強度が前記所定の閾値より小さい場合、アンテナ切替手段が受信に用いるアンテナを切替える。
【００４６】
つまり、受信電界強度が一定レベル以下になった場合（受信状態が良好でない場合）、アンテナを切替える。
【００４７】
したがって、受信状態を示す受信電界強度に基づいて、アンテナの切替えが行うことができるという効果を奏する。
【００４８】
また、本発明に係る無線受信装置は、上記の無線受信装置において、受信したフレームを基に、変調精度を算出する変調精度算出手段と、前記算出した変調精度と、所定の閾値とを比較する比較手段とを備え、前記通信状態は、前記変調精度により示されるものであって、前記変調精度が前記所定の閾値よりも高い場合、前記アンテナ切替手段は、受信に利用するアンテナを切替えることを特徴としている。
【００４９】
上記の構成によれば、変調精度算出手段により、受信したフレームを基に、変調精度が算出される。また、比較手段により、上記算出した変調精度と、所定の閾値とが比較される。そして、上記変調精度が前記所定の閾値より高い場合、アンテナ切替手段が受信に用いるアンテナを切替える。
【００５０】
つまり、変調精度が一定レベル以上になった場合（受信状態が良好でない場合）、アンテナを切替える。
【００５１】
したがって、受信状態を示す変調精度に基づいて、アンテナの切替えが行うことができるという効果を奏する。
【００５２】
また、本発明に係る無線受信装置は、上記の無線受信装置において、受信したフレームを基に、信号対雑音比を算出する信号対雑音比算出手段と、前記算出した信号対雑音比と、所定の閾値とを比較する比較手段とを備え、前記通信状態は、前記信号対雑音比により示されるものであって、前記信号対雑音比が前記所定の閾値よりも小さい場合、前記アンテナ切替手段は、受信に利用するアンテナを切替えることを特徴としている。
【００５３】
上記の構成によれば、信号対雑音比算出手段により、受信したフレームを基に、信号対雑音比が算出される。また、比較手段により、上記算出した信号対雑音比と、所定の閾値とが比較される。そして、上記信号対雑音比が前記所定の閾値より小さい場合、アンテナ切替手段が受信に用いるアンテナを切替える。
【００５４】
つまり、信号対雑音比が一定レベル以下になった場合（受信状態が良好でない場合）、アンテナを切替える。
【００５５】
したがって、受信状態を示す信号対雑音比に基づいて、アンテナの切替えが行うことができるという効果を奏する。
【００５６】
また、本発明に係る無線受信装置は、上記の無線受信装置において、受信したフレームを基に、ビットエラー率を算出するビットエラー率算出手段と、前記算出したビットエラー率と、所定の閾値とを比較する比較手段とを備え、前記受信状態は、前記ビットエラー率で示されるものであって、前記ビットエラー率が前記所定の閾値より高い場合、前記アンテナ切替手段は、受信に用いるアンテナを切替えることを特徴としている。
【００５７】
上記の構成によれば、ビットエラー率算出手段により、受信したフレームを基に、ビットエラー率が算出される。また、比較手段により、上記算出したビットエラー率と、所定の閾値とが比較される。そして、上記ビットエラー率が前記所定の閾値より高い場合、アンテナ切替手段が受信に用いるアンテナを切替える。
【００５８】
つまり、ビットエラー率が一定レベル以上になった場合（受信状態が良好でない場合）、アンテナを切替える。
【００５９】
したがって、受信状態を示すビットエラー率に基づいて、アンテナの切替えが行うことができるという効果を奏する。
【００６０】
また、本発明に係る無線受信装置は、上記の無線受信装置において、受信したフレームを基に、フレームエラー率を算出するフレームエラー率算出手段と、前記算出したフレームエラー率と、所定の閾値とを比較する比較手段とを備え、前記受信状態は、前記フレームエラー率で示されるものであって、前記フレームエラー率が前記所定の閾値より高い場合、前記アンテナ切替手段は、受信に用いるアンテナを切替えることを特徴としている。
【００６１】
上記の構成によれば、フレームエラー率算出手段により、受信したフレームを基に、フレームエラー率が算出される。また、比較手段により、上記算出したフレームエラー率と、所定の閾値とが比較される。そして、上記フレームエラー率が前記所定の閾値より高い場合、受信に用いるアンテナを切替える。
【００６２】
つまり、フレームエラー率が一定レベル以上になった場合（受信状態が良好でない場合）、アンテナ切替手段がアンテナを切替える。
【００６３】
したがって、受信状態を示すフレームエラー率に基づいて、アンテナの切替えが行うことができるという効果を奏する。
【００６４】
また、本発明に係る無線受信装置は、上記の無線受信装置において、受信したフレームを基に、フレームの連続エラー回数を算出する連続エラー算出手段と、前記算出したフレームの連続エラー回数と、所定の閾値とを比較する比較手段とを備え、前記受信状態は、前記フレームの連続エラー回数で示されるものであって、前記フレームの連続エラー回数が前記所定の閾値より多い場合、前記アンテナ切替手段は、受信に用いるアンテナを切替えることを特徴としている。
【００６５】
上記の構成によれば、連続エラー回数算出手段により、受信したフレームを基に、フレームの連続エラー回数が算出される。また、比較手段により、上記算出したフレームの連続エラー回数と、所定の閾値とが比較される。そして、上記フレームの連続エラー回数が前記所定の閾値より多い場合、アンテナ切替手段が受信に用いるアンテナを切替える。
【００６６】
つまり、フレームの連続エラー回数が一定レベル以上になった場合（受信状態が良好でない場合）、アンテナを切替える。
【００６７】
したがって、受信状態を示すフレームの連続エラー回数に基づいて、アンテナの切替えが行うことができるという効果を奏する。
【発明の効果】
【００６８】
本発明に係る無線受信装置は、以上のように、通信装置から送信され、かつ、受信したフレームを処理するフレーム処理手段と、少なくとも前記フレーム処理手段でのフレーム処理結果に基づいて、受信に用いるアンテナを切替えるアンテナ切替手段とを備えるため、通信品質を低下させるような不適切なアンテナの切替えを抑えて、十分なゲインを得ることが可能となる。
【発明を実施するための最良の形態】
【００６９】
〔実施の形態１〕
本発明の一実施形態について図１ないし図３に基づいて説明すると以下の通りである。
【００７０】
図１は、本実施の形態に係る無線受信装置１の機能ブロック図である。上記無線受信装置１は、同図に示すとおり、第１アンテナ１１、第２アンテナ１２、受信部１３、信号復調部１４、フレーム処理部１５、上位処理部１６、第１識別部（第１識別手段）１７、第２識別部（第２識別手段）１８、比較部（比較手段）１９、および、アンテナ切替部（アンテナ切替手段）２０を備えている。また、受信部１３は、受信電界強度算出部（受信電界強度算出手段）２１を備えている。
【００７１】
なお、以下の説明では、無線受信装置１は、電波（信号）の送信元となる通信装置が作成したフレームを、該通信装置が変調処理した後の信号（変調信号）を受信するものとする。後述する実施の形態２の無線受信装置１′でも同様である。
【００７２】
また、上記第１アンテナ１１、第２アンテナ１２、受信部１３、信号復調部１４、上位処理部１６、および、アンテナ切替部２０は、それぞれ、従来技術として説明した、第１アンテナ９１、第２アンテナ９２、受信部９３、信号復調部９４、上位処理部９６、および、アンテナ切替部９８と同一の機能を有するため、ここでの説明を省略する。
【００７３】
上記フレーム処理部１５は、信号復調部１４から復調信号を受信する。そして、フレーム処理部１５は、この復調信号からフレームを作成する。より詳しくは、フレーム処理部１５は、上記変調信号を、フレームタイプ、送信元アドレス、送信先アドレス等のヘッダ情報と、フレームボディであるペイロードデータと、ＦＣＳとに復元する。そして、フレーム処理部１５は、これらヘッダ情報、ペイロードデータ、および、ＦＣＳを、上位処理部１６に送る。これらの機能は、上述したフレーム処理部９５と同一である。
【００７４】
上記フレーム処理部１５は、上記の機能に加え、上記フレームのヘッダ情報を第１識別部１７および第２識別部１８に通知する。
【００７５】
ここで、フレーム処理部１５で作成されたフレームのフォーマットの例について、図２に基づいて説明する。このフレームは、複数のフィールドから構成されている。具体的には、フレームは、Frame Control（フレーム制御）、Duration/ID、Address１、Address２、Address３、Sequence Control（シーケンス制御）、Address４、ＱｏＳ（Quality of Service） Control（サービス品質制御）、Frame Body（フレームボディ）、ＦＣＳといったフィールドで構成されている。なお、上記Frame Control、Duration/ID、Address１、Address２、Address３、Sequence Control、Address４、および、ＱｏＳ Controlが上記ヘッダ情報に該当する。
【００７６】
上記Frame Controlは、フレームの種類を示すフィールドである。また、上記Address１は、フレームの送信元のアドレスを示すフィールドである。さらに、Address２は、フレームの送信宛先のアドレスを示すフィールドである。ＱｏＳ  ＣｏｎｔｒｏｌはＱｏＳデータフレームの優先度を示すフィールドである。ここで、優先度とは、フレームのリアルタイム性の要求度合いを示した指標である。なお、上記フレーム内のその他のフィールドの説明については、省略する。
【００７７】
上記受信電界強度算出部２１は、受信部１３で受信した変調信号から受信電界強度を算出する。そして、受信電界強度算出部２１は、比較部１９に対して、算出した受信電界強度を示すデータ（以下、受信電界強度データと称する）を送る。
【００７８】
上記第１識別部１７は、上記フレームに基づいて、フレームの送信宛先が自装置（無線受信装置１）であるか否かを識別する。具体的には、上記フレーム内のAddress２（送信宛先のアドレス）のフィールドに基づいて、フレームの送信宛先が自装置であるか否かを識別する。また、上記第１識別部１７は、フレームの送信宛先が自装置であると識別した場合、上記第２識別部１８に対して、フレームの送信宛先が自装置である旨の情報を通知する。
【００７９】
上記第２識別部１８は、フレームの送信宛先が自装置である旨の情報を受信した場合、上記フレームに基づいて、フレームの種類がリアルタイム性を要求するフレームであるか否かを識別する。本実施の形態では、上記リアルタイム性を要求するフレームの一例として、第２識別部１８は、フレームの種類がＱｏＳデータフレームであるか否かを識別する。
【００８０】
そして、上記第２識別部１８は、フレームの種類がＱｏＳデータフレームである場合、上記比較部１９に対して、フレームの種類がＱｏＳデータフレームである旨の情報を通知する。なお、フレームの種類がＱｏＳデータフレームであるとは、フレームの種類が、ＱｏＳを保証するフレームであることを示している。
【００８１】
上記比較部１９は、まず、受信電界強度算出部２１から、受信電界強度データを受信する。さらに、第２識別部１８から、フレームの種類がＱｏＳデータフレームである旨の情報を受信した場合、上記受信電界強度と所定の閾値との大小を比較する。そして、比較部１９は、受信電界強度が所定の閾値よりも小さい場合、アンテナ切替部２０に対して、アンテナの切替指示を送る。
【００８２】
アンテナ切替部２０は、比較部１９からの切替指示に応じて、通信に用いるアンテナを第１アンテナ１１と第２アンテナ１２との間で切替える。つまり、受信部１３に接続するアンテナを選択的に切替える。例えば、同図では、第２アンテナ１２が用いられているが、受信電界強度が所定の閾値より小さくなった場合、アンテナ切替部２０によって、第２アンテナ１２から第１アンテナ１１に切替えられる。
【００８３】
以上のように、上記無線受信装置１は、前記フレーム処理部１５でのフレーム処理結果に基づいて、前記フレームの送信宛先が自装置であるか否かを識別する第１識別部（第１識別手段）１７を備え、前記フレームの送信宛先が自装置１である場合、前記フレームの受信状態（受信電界強度で示される受信状態）に応じて、受信に利用するアンテナ（１１・１２）を切替える構成である。
【００８４】
上記の構成によれば、第１識別部１７により、受信したフレームに基づいて、該フレームの送信宛先が自装置１であるか否かを識別することができる。そして、上記フレームの送信宛先が自装置１である場合に、前記フレームの受信状態に応じて、受信に利用するアンテナ（１１・１２）が切替えられる。
【００８５】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうという問題が生じる。このため、自装置宛てのフレームに対する自装置での受信状態が悪化して、通信品質が低下してしまうおそれがある。
【００８６】
しかしながら、上記無線受信装置１では、第１識別部１７によりフレームの送信宛先が自装置か否か判断し、かつ、フレームの送信宛先が自装置１である場合にアンテナ切替えの必要性を判断することにより、自装置宛てのフレームに対する自装置での受信状態が悪化するといったおそれがなくなる。
【００８７】
したがって、上記無線受信装置１では、通信品質を低下させるような不適切なアンテナの切替えを抑えることができ、その結果、十分なゲインを得ることが可能となる。
【００８８】
また、上記無線受信装置１は、前記フレーム処理手段でのフレーム処理結果に基づいて、前記フレームの種類がリアルタイム性を要求するフレームであるか否かを識別する第２識別部１８（第２識別手段）を備え、前記フレームの送信宛先が自装置である場合であって、かつ、前記フレームの種類がリアルタイム性を要求するフレームである場合に、前記フレームの受信状態に応じて、受信に用いるアンテナ（１１・１２）を切替える構成でもある。
【００８９】
上記の構成によれば、第２識別部１８により、受信したフレームに基づいて、前記フレームの種類がリアルタイム性を要求するフレームであるか否かが識別される。そして、上記フレームの種類がリアルタイム性を要求するフレームである場合、前記フレームの受信状態に応じて、受信に用いるアンテナ（１１・１２）を切替える。
【００９０】
ここで、上記リアルタイム性を要求するフレームは、一般に、フレーム長が長い。このため、ノイズ等の影響により、エラーがのったフレームを受信したり、フレームの一部または全部が欠落してしまうおそれが、リアルタイム性を要求しないフレームよりも強い。それゆえ、リアルタイム性を要求するフレームを精度よく受信できれば、効率のよい通信を実現できる。
【００９１】
したがって、上記無線受信装置１では、上述したように、フレームの種類がリアルタイム性を要求するフレームである場合に、該フレームの受信状態に応じて、通信に利用するアンテナを切替えることにより、効率のよい受信を実現することができる。
【００９２】
次に、上記無線受信装置１におけるアンテナ切替処理のフローを、図３のフローチャートに基づいて説明する。
【００９３】
まず、何れかのアンテナ（１１・１２）により電波（信号）を受信する（Ｓ１）。ここで、何れかのアンテナとは、該電波を受信する直前まで用いられていたアンテナである。Ｓ１の後は、受信電界強度算出部２１により、受信電界強度が算出される（Ｓ２）。また、Ｓ２の後は、信号復調部１４により、信号が復調される（Ｓ３）。
【００９４】
Ｓ３の後は、復調された信号に基づいて、フレーム処理部１５は、フレーム処理を行って、フレームを作成する（Ｓ４）。そして、Ｓ４の後は、第１識別部１７により、上記フレームに基づいて、フレームの送信宛先が自装置であるか否かを識別する（Ｓ５）。
【００９５】
上記Ｓ５において、フレームの送信宛先が自装置でない場合（Ｎｏの場合）、アンテナの切替処理を行わずに、処理を終了する。一方、Ｓ５において、フレームの送信宛先が自装置である場合（Ｙｅｓの場合）、第２識別部１８により、フレームの種類がＱｏＳデータフレームであるか否かを識別する（Ｓ６）。
【００９６】
上記Ｓ６において、フレームの種類がＱｏＳデータフレームでない場合（Ｎｏの場合）には、アンテナ切替処理を行わずに、処理を終了する。一方、フレームの種類がＱｏＳデータフレームの場合（Ｙｅｓの場合）には、比較部１９により、受信電界強度算出部２１により算出された受信電界強度と、所定の閾値との大小が比較される。具体的には、受信電界強度が所定の閾値よりも小さいか否かが判断される（Ｓ７）。
【００９７】
上記Ｓ７において、受信電界強度が所定の閾値よりも大きい場合（Ｎｏの場合）には、アンテナの切替処理を行わずに、処理を終了する。一方、受信電界強度が所定の閾値よりも小さい場合（Ｙｅｓの場合）には、アンテナ切替部２０により、アンテナの切替処理が行われる（Ｓ８）。上記Ｓ８の後は、処理を終了する。
【００９８】
なお、Ｓ２で示す受信電界強度の算出ステップは、必ずしも、Ｓ３で示す信号の復調ステップの前に行う必要はなく、少なくとも、Ｓ７で示すステップまでに行えばよい。
【００９９】
ところで、上記の説明では、アンテナを２つ備えた構成を例に挙げて説明したが、アンテナ数は２つに限定されるものではない。
【０１００】
また、上記の説明では、第２識別部１８を設け、この第２識別部１８によりフレームの種類がＱｏＳデータフレームであるか否かを識別する構成としたが、無線受信装置１の構成を、第２識別部１８を備えない構成としてもよい。
【０１０１】
つまり、第１識別部１７がフレームの送信宛先が自装置であると識別した場合、第１識別部１７は、上記比較部１９に対して、フレームの送信宛先が自装置である旨の情報を送信する構成としてもよい。この場合、比較部１９は、該情報を受信すると、上述したとおり上記受信電界強度と所定の閾値との大小を比較し、その結果、受信電界強度が所定の閾値よりも小さい場合、アンテナ切替部２０に対して、アンテナの切替指示を送ればよい。
【０１０２】
また、上記の説明では、無線受信装置１は受信電界強度算出部２１を備え、受信電界強度と所定の閾値とを比較部１９で比較することにより、アンテナ切替処理の実行の有無を判断したが、これに限定されるものではない。
【０１０３】
例えば、フレーム処理部１５にフレームエラー率を算出するフレームエラー率算出部（フレームエラー算出手段）を設け、このフレームエラー率算出部で算出したフレームエラー率と、所定の閾値とを比較部１９で比較する構成としてもよい。この場合、フレームエラー率が所定の閾値より高い場合に、比較部１９はアンテナ切替部２０に対して、アンテナの切替を指示する構成としておけばよい。
【０１０４】
また、フレーム処理部１５にフレームの連続エラー回数を算出する連続エラー算出部（連続エラー算出手段）を設け、この連続エラー算出部で算出したフレームの連続エラー回数と、所定の閾値とを比較部１９で比較する構成としてもよい。この場合、フレームの連続エラー回数が、所定の閾値より多い場合に、比較部１９はアンテナ切替部２０に対して、アンテナの切替を指示する構成としておけばよい。
【０１０５】
なお、上記フレームの連続エラー回数とは、「アンテナ切替の対象となるフレームを受信したが、エラーが検出された」という事象が連続して何回発生したかを示した回数である。そして、この場合の「エラー」とは、フレーム内のエラーを指している。
【０１０６】
また、信号復調部１４にビットエラー率を算出するビットエラー率算出部（ビットエラー算出手段）を設け、このビットエラー率算出部で算出したビットエラー率と、所定の閾値とを比較部１９で比較する構成としてもよい。この場合、ビットエラー率が所定の閾値よりも高い場合に、比較部１９は、アンテナ切替部２０に対して、アンテナの切替を指示する構成としておけばよい。
【０１０７】
また、信号復調部１４に信号対雑音比（ＳＮＲ）を算出する信号対雑音比算出部（信号対雑音比算出手段）を設け、この信号対雑音比算算出部で算出した信号対雑音比と、所定の閾値とを比較部１９で比較する構成としてもよい。この場合、信号対雑音比が所定の閾値よりも小さい場合に、比較部１９は、アンテナ切替部２０に対して、アンテナの切替を指示する構成としておけばよい。
【０１０８】
また、信号復調部１４に変調精度（ＥＶＭ）を算出する変調精度算出部（変調精度算出手段）を設け、この変調精度算出部で算出した変調精度と、所定の閾値とを比較部１９で比較する構成としてもよい。この場合、変調精度が所定の閾値よりも高い場合に、比較部１９は、アンテナ切替部２０に対して、アンテナの切替を指示する構成としておけばよい。
【０１０９】
さらに、受信電界強度、フレームエラー率、フレームの連続エラー回数、ビットエラー率、信号対雑音比、および、変調精度のうち、２つ以上を用いて、アンテナを切替えるか否かを判断する構成としてもよい。具体例としては、受信電界強度が所定の閾値より小さく、かつ、フレームエラー率が所定の閾値より大きい場合に、アンテナを切替える構成としてもよい。
【０１１０】
ところで、上記の実施の形態においては、フレームの種類が、リアルタイム性を要求するフレームである場合に、受信状態に応じて、受信に用いるアンテナを切替える構成を示したが、フレームのリアルタイム性の要求度合いの高い場合にのみ、受信に用いるアンテナを切替える構成としてもよい。
【０１１１】
つまり、フレームのリアルタイム性の要求度合いを示した指標を優先度とした場合、フレーム処理部１５でのフレーム処理結果に基づいて、フレームの優先度を識別する優先度識別部（優先度識別手段）と、前記優先度識別手段で識別された優先度が、所定の度合いよりも高いか否かを判断する優先度判断部（優先度判断手段）とを設けておき、フレームの送信宛先が自装置である場合であって、かつ、フレームの種類がリアルタイム性を要求するフレームである場合であって、かつ、上記優先度が所定の度合いより高い場合に、フレームの受信状態に応じて、受信に用いるアンテナを切替える構成としてもよい。
【０１１２】
この構成では、リアルタイム性を要求するフレームのうち、リアルタイム性の要求が高いフレームを精度よく受信できるため、より一層効率の高い受信が可能となる。
【０１１３】
また、上記実施の形態においては、フレームの送信宛先が自装置である場合に、フレームの受信状態に応じて、受信に用いるアンテナを切替える構成を説明したが、これに限定されるものではない。つまり、フレームの送信宛先を問わず、フレーム処理部でのフレーム処理結果に基づいて、受信に用いるアンテナを切替える構成としてもよい。なお、フレーム処理結果とは、フレームに含まれるデータ自体（図２参照）、並びに、フレームエラー率およびフレームの連続エラー回数等のフレーム処理を行った際に算出することができる値である。
【０１１４】
この構成の場合、単に、受信電界強度や信号変調時に求められるビットエラー率を基にアンテナを切替える構成と比較して、精度の高いアンテナ切替えを行うことができる。したがって、この構成でも、通信品質を低下させるような不適切なアンテナの切替えを抑えて、十分なゲイン（ダイバーシティ利得）を得ることが可能となる。
【０１１５】
また、信号復調部１４に、受信したフレームを基にフレーム長を算出するフレーム長算出部（フレーム長算出手段）と、前記算出したフレーム長が所定の長さ以上であるか否かを判断するフレーム長判断部（フレーム長判断手段）とを備える構成とし、前記フレーム長が所定の長さ以上の場合、前記アンテナ切替部２０が、前記フレームの受信状態に応じて、受信に用いるアンテナを切替える構成としてもよい。
【０１１６】
ここで、フレーム長の長いフレームは、ノイズ等の影響によりエラーがフレームにのったり、フレームの一部または全部が欠落してしまうおそれが、フレーム長が短いフレームよりも強い。それゆえ、フレーム長が長いフレームを精度よく受信できれば、効率のよい受信を実現できる。したがって、フレーム長が所定の長さ以上の場合、前記フレームの受信状態に応じて、受信に用いるアンテナを切替えることにより、効率のよい受信を実現することができる。
【０１１７】
また、信号復調部１４に、受信したフレームを基に変調速度を算出する変調速度算出部（変調速度算出手段）と、前記算出した変調速度が所定の速度以上であるか否かを判断する変調速部判断部（変調速度判断手段）とを備える構成とし、前記変調速度が所定の速度以上の場合、前記アンテナ切替部２０が、前記フレームの受信状態に応じて、受信に用いるアンテナを切替える構成としてもよい。
【０１１８】
なお、変調速度（変調レート）とは、ヘッダ情報、Frame body、および、ＦＣＳの変調レートのことである。この変調速度のフィールドは、図２では示していないが、ヘッダ情報の前に記憶されている（なお、上記フレーム長のフィールドも同様である）。そして、信号復調部１４では、この変調速度の情報を基に、ヘッダ情報、Frame body、および、ＦＣＳが復調されることとなる。
【０１１９】
ここで、変調速度が速いフレームは、ノイズ等の影響によりエラーがフレームにのるおそれが、変調速度が遅いフレームよりも強い。それゆえ、変調速度が速いフレームを精度よく受信できれば、効率のよい受信を実現できる。したがって、変調速度が所定の速度以上の場合、前記フレームの受信状態に応じて、受信に用いるアンテナを切替えることにより、効率のよい受信を実現することができる。
【０１２０】
〔実施の形態２〕
本発明の他の実施の形態について図４および図７に基づいて説明すれば、以下のとおりである。なお、説明の便宜上、上記の実施の形態１の図面に示した部材と同一の機能を有する部材については、同一の符号を付し、その説明を省略する。
【０１２１】
図４は、本実施の形態に係る無線受信装置１′の機能ブロック図である。上記無線受信装置１′は、同図に示すとおり、第１アンテナ１１、第２アンテナ１２、受信部１３、信号復調部１４、フレーム処理部１５′、上位処理部１６、第１識別部（第１識別手段）１７′、第２識別部（第２識別手段）１８、比較部（比較手段）１９、アンテナ切替部（アンテナ切替手段）２０′、第３識別部（第３識別手段）２２、第４識別部（第４識別手段）２３、第５識別部２４、データ書込処理部（書込手段）２５、記憶部（記憶手段）２６、データ読出処理部（読出手段）２７、および、アンテナ決定部（アンテナ決定手段）２８を備えている。また、受信部１３は、受信電界強度算出部（受信電界強度算出手段）２１′を備えている。
【０１２２】
上記フレーム処理部１５′は、実施の形態１で述べたフレームのヘッダ情報を、第１識別部１７′、第２識別部１８、第３識別部２２、第４識別部２３、および、第５識別部２４に通知する点を除けば、実施の形態１のフレーム処理部１５と同一の処理を行う。また、上記受信電界強度算出部２１′は、比較部１９とデータ書込処理部２５とに、算出した受信電界強度を通知する。
【０１２３】
上記第１識別部１７′は、フレーム処理部１５′で作成されたフレームに基づいて、フレームの送信宛先が自装置（無線受信装置１′）であるか否かを識別する。この識別は、実施の形態１の第１識別部１７と同じである。
【０１２４】
以下では、第１識別部１７′が、「フレームの送信宛先が自装置である」と識別した場合と、「フレームの送信宛先が自装置でない」と識別した場合とにわけて、各機能ブロックの機能を説明する。
【０１２５】
まず、第１識別部１７′が、「フレームの送信宛先が自装置である」と識別した場合について説明する。
【０１２６】
この場合には、第１識別部１７′は、上記第２識別部１８に対して、フレームの送信宛先が自装置である旨の情報を通知する。なお、第２識別部１８および比較部１９での処理は、実施の形態１において説明したので省略する。ただし、上記比較部１９は、実施の形態１のアンテナ切替部２０の代わりに、アンテナ切替部２０′に対して、切替指示を送る構成としている。
【０１２７】
アンテナ切替部２０′は、データ書込処理部２５に対して、使用しているアンテナ（第１アンテナ１１または第２アンテナ１２）を示す情報を通知する。この通知に際しては、例えば、第１アンテナ１１の場合は「１」という情報を、第２アンテナの場合は「２」という情報を通知する。
【０１２８】
なお、アンテナ切替部２０′による上記情報の通知の方法は、特に限定されるものではない。例えば、アンテナの切替処理を行った都度、データ書込処理部２５に対して、上記アンテナを示す情報を通知する構成としてもよい。あるいは、アンテナ切替部２０′が現在使用しているアンテナを示す情報を記憶する構成とし、かつ、例えば第１識別部１７′が、アンテナ切替部２０′に対して、データ書込処理部２５にアンテナを示す情報を送信するよう指示を送る構成としてもよい。あるいは、第５識別部２４が、第１識別部１７′の代わりに上記指示を送る構成としてもよい。
【０１２９】
上記第５識別部２４は、フレーム処理部１５で作成されたフレームに基づいて、フレームの送信元の無線通信装置を識別する。具体的には、上記フレーム内のAddress１（送信元のアドレス）のフィールドに基づいて、送信元のアドレスを識別する。そして、第５識別部２４は、識別した送信元のアドレスをデータ書込処理部２５に通知する。
【０１３０】
上記記憶部２６は、図５に示すような、送信元となる無線通信装置のアドレス（送信元のアドレス）と各アンテナ（１１・１２）とをパラメータとするテーブルを予め備えている。そして、詳しくは後述するが、送信元のアドレスとアンテナとに対応して、上記テーブルには受信電界強度が書込まれる。
【０１３１】
データ書込処理部２５は、アンテナ切替部２０′から上記使用しているアンテナを示す情報を、受信電界強度算出部２１′から受信電界強度データを、および、第５識別部２４から上記送信元のアドレスを受信する。そして、データ書込処理部２５は、上記使用しているアンテナと送信元のアドレスとに基づいて、受信電界強度を記憶部２６に書込む。
【０１３２】
また、アンテナ切替部２０′でアンテナの切替処理がなされた場合には、データ書込処理部２５は、切替え後において使用しているアンテナと送信元のアドレスとに基づいて、切替え後において使用しているアンテナでの受信電界強度を記憶部２６に書込む。
【０１３３】
また、送信元の無線通信装置が他の無線通信装置に変更された場合には、データ書込処理部２５は、他の無線通信装置のアドレス（送信元のアドレス）と使用しているアンテナとに基づいて、受信電界強度を記憶部２６に書込む。なお、他の無線通信装置との通信中に、アンテナを切替えた場合には、データ書込処理部２５は、送信元のアドレスと切替え後における使用しているアンテナとに基づいて、切替え後における使用しているアンテナでの受信電界強度を記憶部２６に書込む。
【０１３４】
この結果、記憶部２６には、例えば、図６に示すようなテーブル情報が記憶されることとなる。例えば、アドレスが「００１」の無線通信装置に対して、アンテナ「１」（つまり、第１のアンテナ１１）を用いた場合には、受信電界強度として「３１」が、アンテナ「２」（つまり、第２アンテナ１２）を用いた場合には、受信電界強度として「１０」が書込まれる。
【０１３５】
また、アドレスが「００２」の無線通信装置に対して、アンテナ「１」または「２」を用いた場合における受信電界強度データはないため、同図においては空欄となっている。さらに、アドレスが「００４」の無線通信装置に対して、アンテナ「２」を用いた場合には、受信電界強度として「１０」が書込まれているが、アンテナ「１」を用いた場合における受信電界強度データはないため、この箇所については空欄となっている。
【０１３６】
以上のように、上記無線受信装置１′は、通信装置から送信され、かつ、受信したフレームに基づいて、前記フレームの送信宛先が自装置であるか否かを識別する第１識別部（第１識別手段）１７′を備え、前記フレームの送信宛先が自装置１′である場合、前記フレームの受信状態（受信電界強度で示される受信状態）に応じて、受信に利用するアンテナ（１１・１２）を切替える構成である。したがって、実施の形態１で示した無線受信装置１で得られる効果と同じ効果を得ることができる。さらに、送信元のアドレスとアンテナとに対応させて、上記記憶部２６のテーブルに受信電界強度を記憶させることもできる。
【０１３７】
なお、上記のようなテーブルを用いた受信電界強度の記憶部２６に対する記憶手法は一例であって、これに限定されるものではない。あくまで、データ書込処理部２５が、記憶部２６に対して、フレームの送信元と、受信に用いているアンテナで得られる受信電界強度（通信状態）とを関連付けて書込む構成であればよい。
【０１３８】
また、既に、受信電界強度が記憶部２６に書込まれている場合、この記憶部２６に記憶された受信電界強度データを更新すべく、上書き処理を行う構成とする。さらに、新たな通信装置が、無線受信装置１′が加入しているネットワークに参加した場合であって、テーブルにアドレスがない場合には、新たにアドレスを追加する構成とする。
【０１３９】
次に、第１識別部１７′が、「フレームの送信宛先が自装置でない」と識別した場合について説明する。
【０１４０】
この場合、第１識別部１７′は、上記第３識別部２２に対して、フレームの送信宛先が自装置でない旨の情報を通知する。上記第３識別部２２は、フレームの送信宛先が自装置でない旨の情報を受信すると、フレーム処理部１５で作成されたフレームに、フレームの送信権の付与を示すデータが含まれているか否かを識別する。
【０１４１】
つまり、複数の無線通信装置、および中央管理装置が通信ネットワークを介して接続されているネットワークシステムであって、上記中央管理装置が上記ネットワークシステムにおける送信権を管理する構成では、上記通信ネットワークを介してデータの送信ができる通信装置は、その時点で送信権を有している無線通信装置となる。そして、このようなネットワークシステムでは、中央制御装置が、無線通信装置に対して、送信権の付与を示すフレーム（ＱｏＳ−ＣＦ（Contention Free）−Ｐｏｌｌフレーム）を送信する。このため、上記第３識別部２２が、上記フレーム処理部１５で作成されたフレームに、フレームの送信権の付与を示すデータが含まれているか否かを識別する構成としている。
【０１４２】
そして、第３識別部２２が、フレームの送信権の付与を示すデータが含まれていると判断した場合、第４識別部２３に対して、フレームの送信権の付与を示すデータが含まれていることを通知する。そして、第４識別部２３は、フレームの送信権の付与を示すデータが含まれている旨の通知を受信した場合には、上記フレームに基づいて、送信権が付与される無線通信装置を識別する。具体的には、実施の形態１で示したように、フレーム内のAddress２（送信宛先のアドレス）のフィールドに基づいて、送信宛先のアドレスを識別する。さらに、第４識別部２３は、上記データ読出処理部２７に対して、上記識別したアドレスのデータ（以下、アドレスデータと称する）を送る。
【０１４３】
上記データ読出処理部２７は、第４識別部２３からアドレスデータを受信する。そして、データ読出処理部２７は、上記受信したアドレスデータに基づいて、記憶部２６から受信電界強度を読出す。詳しくは、アドレスに対応する受信電界強度を、アンテナ毎に読出す。例えば、上記アドレスが「００１」である場合、アンテナ番号「１」（つまり第１アンテナ１１）を用いた際の受信電界強度が３１であり、アンテナ番号「２」（つまり、第２アンテナ１２）を用いた際の受信電界強度が１０であることがデータ読出処理部２７により読出される（図６参照）。
【０１４４】
そして、上記データ読出処理部２７は、記憶部２６から読出した、アンテナ番号と、該アンテナ番号に対応する受信電界強度データとの情報を、アンテナ毎に上記アンテナ決定部２８に通知する。
【０１４５】
上記アンテナ決定部２８は、データ読出処理部２７がアンテナ決定部２８宛てに送信した上記情報を受信する。そして、アンテナ決定部２８は、上記情報を受信すると、まず、フレームの送信元の無線通信装置に関する、各アンテナにおける受信電界強度データが、両アンテナ（１１・１２）について記憶されているか否かを判断する。また、アンテナ決定部２８は、各アンテナにおける受信電界強度データから、これらアンテナ間での受信電界強度の大小を判断する。
【０１４６】
さらに、アンテナ決定部２８は、上記判断した結果に基づいて、今後使用するアンテナを決定する。具体的には、現在使用しているアンテナでの受信電界強度が、他のアンテナでの受信電界強度よりも大きい場合には、現在使用しているアンテナを今後も使用するとの決定を行う。一方、現在使用しているアンテナでの受信電界強度が、他のアンテナでの受信電界強度よりも小さい場合には、今後、他のアンテナを使用するとの決定を行う。
【０１４７】
例えば、上記アドレスが「００１」の場合、アンテナ決定部２８は、まず、第１アンテナ１１での受信電界強度と、第２アンテナ１２での受信電界強度との大小を判断する。ここで、第１アンテナ１１での受信電界強度の方が、第２アンテナ１２での受信電界強度よりも大きいため、現在使用しているアンテナが第１アンテナ１１である場合には、現在使用しているアンテナ（つまり、第１アンテナ１１）を今後も使用するとの決定を行う。一方、現在使用しているアンテナが第２アンテナ１２である場合には、今後、他のアンテナ（つまり、第１アンテナ１１）を使用するとの決定を行う。
【０１４８】
さらに、アンテナ決定部２８は、アンテナ切替部２０′に対して、今後の使用を決定したアンテナを通知する。なお、上記記憶部２６に１つのアンテナでの受信電界強度しか記憶されていない場合や、記憶部２６に１つも受信電界強度が記憶されていない場合には、アンテナ決定部２８は、アンテナ切替部２０′に対して、上記通知を行うことなく処理を終了する。
【０１４９】
アンテナ切替部２０′は、アンテナ決定部２８からの通知を受けると、この通知に応じて、アンテナの切替処理を行う。つまり、アンテナ決定部２８からの通知が、現在使用しているアンテナである場合にはアンテナの切替処理を行わず、上記通知が、現在使用していないアンテナである場合にはアンテナの切替処理を行う。
【０１５０】
以上のように、上記無線受信装置１′は、各アンテナ（１１・１２）における自装置宛てのフレームの受信状態（電界受信強度）を、通信装置毎に記憶した記憶部（記憶手段）２６と、前記フレームの送信宛先が自装置１′でない場合、受信したフレームに、フレームの送信権の付与を示すデータが含まれているか否かを識別する第３識別部（第３識別手段）２２と、前記受信したフレームに送信権の付与を示すデータが含まれている場合、受信したフレームに基づいて、送信権が付与される通信装置を識別する第４識別部（第４識別手段）２３と、前記送信権を付与される通信装置について、記憶部２６から、各アンテナ（１１・１２）における自装置宛てのフレームの受信状態を読出すデータ読出処理部（読出手段）２７と、前記読出した受信状態に基づいて、受信に用いるアンテナを決定するアンテナ決定部（アンテナ決定手段）２８とを備える構成である。
【０１５１】
上記の構成によれば、送信宛先が自装置１′でないフレームを受信した場合、第３識別部２２により、受信したフレームに、フレームの送信権の付与を示すデータが含まれているか否かが識別される。そして、受信したフレームに送信権の付与を示すデータが含まれている場合、第４識別部２３により、受信したフレームに基づいて、送信権が付与される通信装置が識別される。それゆえ、上記第３識別部２２および第４識別部２３により、次に送信権を有する通信装置を識別することができる。
【０１５２】
また、記憶部２６は、各アンテナ（１１・１２）における自装置宛てのフレームの受信状態を、通信装置毎に記憶している。そして、データ読出処理部２７により、前記送信権を付与される通信装置について、記憶部２６から、各アンテナ（１１・１２）における自装置宛てのフレームの受信状態を読出せる。つまり、上記データ読出処理部２７により、次に送信権を有する通信装置に対し、各アンテナ（１１・１２）を用いた場合における受信状態を記憶部２６から読出すことができる。
【０１５３】
さらに、アンテナ決定部２８により、読出した受信状態に基づいて、受信するためのアンテナが決定される。例えば、受信状態の最も優れたアンテナを、通信に利用するアンテナと決定すればよい。
【０１５４】
したがって、上記決定に従って、通信に利用するアンテナ（１１・１２）を切替えることにより、自装置１′におけるフレームの受信状態を良好にすることが可能となる。
【０１５５】
また、上記無線受信装置１′は、上記フレームの送信宛先が自装置１′である場合、上記記憶部２６に、フレームの送信元と、受信に用いているアンテナでの受信状態とを関連付けて書込むデータ書込処理部（書込手段）２５を備える構成である。
【０１５６】
上記の構成によれば、上記フレームの送信宛先が自装置１′である場合、データ書込処理部２５により、上記記憶部２６に、フレームの送信元と、受信に用いているアンテナでの通信状態とが関連付けて書込まれる。
【０１５７】
したがって、記憶部２６に、受信状態の情報を記憶させることができる。それゆえ、以後のアンテナ切替処理において、データ書込処理部２５により書込まれた受信状態の情報を利用することができる。
【０１５８】
次に、上記無線受信装置１′におけるアンテナ切替処理のフローを、図７のフローチャートに基づいて説明する。
【０１５９】
まず、何れかのアンテナ（１１・１２）により電波（信号）を受信する（Ｓ１１）。ここで、何れかのアンテナとは、該電波を受信する直前まで用いられていたアンテナである。Ｓ１１の後は、受信電界強度算出部２１′が、受信電界強度を算出する（Ｓ１２）。また、Ｓ１２の後は、信号復調部１４が、信号を復調する（Ｓ１３）。
【０１６０】
Ｓ１３の後は、復調された信号に基づいて、フレーム処理部１５が、フレーム処理を行って、フレームを作成する（Ｓ１４）。そして、Ｓ１４の後は、第１識別部１７′が、上記フレームに基づいて、フレームの送信宛先が自装置であるか否かを識別する（Ｓ１５）。
【０１６１】
上記Ｓ１５において、フレームの送信宛先が自装置である場合（Ｙｅｓの場合）、データ書込処理部２５が、記憶部２６に対して、フレームの送信元と、通信に利用しているアンテナで得られる受信電界強度とを関連付けて書込む。（Ｓ１６）。また、フレームの送信宛先が自装置である場合には、さらに、第２識別部１８が、フレームの種類がＱｏＳデータフレームであるか否かを識別する（Ｓ１７）。
【０１６２】
上記Ｓ１７において、フレームの種類がＱｏＳデータフレームでない場合（Ｎｏの場合）には、アンテナ切替処理を行わずに、処理を終了する。一方、フレームの種類がＱｏＳデータフレームの場合には、比較部１９が、受信電界強度算出部２１′により算出された受信電界強度と、所定の閾値との大小を比較する。具体的には、受信電界強度が所定の閾値よりも小さいか否かが判断される（Ｓ１８）。
【０１６３】
上記Ｓ１８において、受信電界強度が所定の閾値よりも大きい場合（Ｎｏの場合）には、アンテナの切替処理を行わずに、処理を終了する。一方、受信電界強度が所定の閾値よりも小さい場合（Ｙｅｓの場合）には、アンテナ切替部２０′が、アンテナの切替処理を行う（Ｓ１９）。上記Ｓ１９の後は、処理を終了する。
【０１６４】
一方、Ｓ１５において、フレームの送信宛先が自装置でない場合（Ｎｏの場合）、上記第３識別部２２が、フレーム処理部１５で作成されたフレームに、フレームの送信権の付与を示すデータが含まれているか否かを判定する。つまり、第３識別部２２が、フレーム処理部１５で作成されたフレームが、送信権の付与を示すフレーム（ＱｏＳ−ＣＦ（Contention Free）−Ｐｏｌｌフレーム）であるか否かを判定する（Ｓ２０）。
【０１６５】
上記Ｓ２０において、作成されたフレームがＱｏＳ−ＣＦ−Ｐｏｌｌフレームでない場合（Ｎｏの場合）、処理を終了する。一方、Ｓ２０において、作成されたフレームがＱｏＳ−ＣＦ−Ｐｏｌｌフレームである場合（Ｙｅｓの場合）、第４識別部２３が、フレーム処理部１５で作成されたフレームに基づいて、フレームの送信元の通信装置を識別する（Ｓ２１）。
【０１６６】
上記Ｓ２１の後は、アンテナ決定部２８によって、記憶部２６のテーブルに、フレームの送信元の無線通信装置に関する、各アンテナにおける受信電界強度データが、両アンテナ（１１・１２）について記憶されているか否かが判断される（Ｓ２２）。
【０１６７】
上記Ｓ２２において、両アンテナ（１１・１２）について受信電界強度が記憶されていない場合（Ｎｏの場合）、処理を終了する。一方、上記Ｓ２２において、両アンテナ（１１・１２）について受信電界強度が記憶されている場合（Ｙｅｓの場合）、アンテナ決定部２８が、各アンテナにおける受信電界強度データから、これらアンテナ間での受信電界強度の大小を判定する。具体的には、現在使用しているアンテナでの受信電界強度が、他のアンテナでの受信電界強度よりも小さいか否かが判断される（Ｓ２３）。
【０１６８】
上記Ｓ２３において、現在使用しているアンテナでの受信電界強度が、他のアンテナでの受信電界強度よりも大きい場合（Ｎｏの場合）には、アンテナ切替部２０′は、アンテナの切替処理を行わずに、処理を終了する。一方、Ｓ２３において、現在使用しているアンテナでの受信電界強度が、他のアンテナでの受信電界強度よりも小さい場合（Ｙｅｓの場合）には、アンテナ切替部２０′は、アンテナの切替処理を行う（Ｓ１９）。
【０１６９】
なお、Ｓ１２で示す受信電界強度の算出ステップは、必ずしも、Ｓ１３で示す信号の復調ステップの前に行う必要はなく、少なくとも、Ｓ１６で示すステップまでに行えばよい。
【０１７０】
また、本実施の形態においても上記実施の形態１と同様に、アンテナ数は２つに限定されるものではない。
【０１７１】
また、本実施の形態においても上記実施の形態１と同様に、無線受信装置１′の構成を、第２識別部１８を備えない構成としてもよい。
【０１７２】
また、上記実施の形態１と同様に、フレーム処理部１５にフレームエラー率を算出するフレームエラー率算出部を設け、このフレームエラー率算出部で算出したフレームエラー率と、所定の閾値とを比較部１９で比較する構成としてもよい。
【０１７３】
また、フレーム処理部１５にフレームの連続エラー回数を算出する連続エラー算出部を設け、この連続エラー算出部で算出したフレームの連続エラー回数と、所定の閾値とを比較部１９で比較する構成としてもよい。
【０１７４】
また、信号復調部１４にビットエラー率を算出するビットエラー率算出部を設け、このビットエラー率算出部で算出したビットエラー率と、所定の閾値とを比較部１９で比較する構成としてもよい。
【０１７５】
また、信号復調部１４に信号対雑音比（ＳＮＲ）を算出する信号対雑音比算出部（信号対雑音比算出手段）を設け、この信号対雑音比算算出部で算出した信号対雑音比と、所定の閾値とを比較部１９で比較する構成としてもよい。
【０１７６】
また、信号復調部１４に変調精度（ＥＶＭ）を算出する変調精度算出部（変調精度算出手段）を設け、この変調精度算出部で算出した変調精度と、所定の閾値とを比較部１９で比較する構成としてもよい。
【０１７７】
さらに、受信電界強度、フレームエラー率、フレームの連続エラー回数、ビットエラー率、信号対雑音比、および、変調精度のうち、２つ以上を用いて、アンテナを切替えるか否かを判断する構成としてもよい。
【０１７８】
なお、フレームエラー率、フレームの連続エラー回数、ビットエラー率、信号対雑音比、および／または、変調精度を用いる場合には、これらの値を、上記受信電界強度と同様なテーブルに記憶して利用する構成とする。
【０１７９】
また、実施の形態１でも示したとおり、フレームのリアルタイム性の要求度合いの高い場合にのみ、受信に用いるアンテナを切替える構成としてもよい。
【０１８０】
また、本実施の形態でも、実施の形態１に示したように、フレームの送信宛先を問わず、フレーム処理部でのフレーム処理結果に基づいて、受信に用いるアンテナを切替える構成としてもよい。
【０１８１】
また、実施の形態１と同様に、信号復調部１４に上記フレーム長算出部およびフレーム長判断部を設け、フレーム長が所定の長さ以上の場合、前記フレームの受信状態に応じて、受信に用いるアンテナを切替える構成とすることもできる。
【０１８２】
また、実施の形態１と同様に、信号復調部１４に上記変調速度算出部および変調速度判断部を設け、変調速度が所定の速度以上の場合、フレームの受信状態に応じて、受信に用いるアンテナを切替える構成としてもよい。
【０１８３】
本発明に係る無線受信装置は、複数のアンテナを備え、受信に用いるアンテナを前記複数のアンテナ間で切替える無線受信装置において、通信装置から送信され、かつ、受信したフレームを処理するフレーム処理手段と、少なくとも前記フレーム処理手段でのフレーム処理結果に基づいて、受信に用いるアンテナを切替えるアンテナ切替手段とを備えることを特徴としている。
【０１８４】
上記の構成によれば、アンテナ切替手段は、フレーム処理手段によるフレーム処理結果に基づいて、受信に用いるアンテナを切替える。ここで、フレーム処理結果とは、フレームに含まれるデータ自体、並びに、フレームエラー率およびフレームの連続エラー回数等のフレーム処理を行った際に算出することができる値を指す。
【０１８５】
それゆえ、単に、受信電界強度や信号変調時に求められるビットエラー率を基にアンテナを切替える構成と比較して、精度の高いアンテナ切替えを行うことができる。
【０１８６】
したがって、通信品質を低下させるような不適切なアンテナの切替えを抑えて、十分なゲイン（ダイバーシティ利得）を得ることが可能な無線受信装置を提供することができるという効果を奏する。
【０１８７】
また、本発明に係る無線受信装置は、上記の無線受信装置において、前記フレーム処理手段でのフレーム処理結果に基づいて、前記フレームの送信宛先が自装置であるか否かを識別する第１識別手段を備え、前記フレームの送信宛先が自装置である場合、前記アンテナ切替手段は、前記フレームの受信状態に応じて、受信に用いるアンテナを切替えることを特徴としている。
【０１８８】
上記の構成によれば、第１識別手段により、前記フレーム処理手段でのフレーム処理結果に基づいて、該フレームの送信宛先が自装置であるか否かを識別することができる。そして、上記フレームの送信宛先が自装置である場合に、アンテナ切替手段により、前記フレームの受信状態に応じて、受信に利用するアンテナが切替えられる。
【０１８９】
ところで、フレームの送信宛先が自装置でない場合に、前記フレームの受信状態に応じて受信に用いるアンテナを切替えると、自装置宛てのフレームでないにも関わらず、自装置がアンテナの切替えを行ってしまうこともある。このため、自装置宛てのフレームに対する自装置での受信状態が悪化して、通信品質が低下してしまうおそれもある。
【０１９０】
しかしながら、第１識別手段によりフレームの送信宛先が自装置か否か判断し、かつ、フレームの送信宛先が自装置である場合にアンテナ切替えの必要性を判断することによって、自装置宛てのフレームに対する自装置での受信状態が悪化するといったおそれがなくなる。
【０１９１】
したがって、通信品質を低下させるような不適切なアンテナの切替えを抑えて、十分なゲインを得ることが可能な無線受信装置を提供することができるという効果を奏する。
【０１９２】
また、本発明に係る無線受信装置は、上記の無線受信装置において、受信したフレームを基に、フレーム長を算出するフレーム長算出手段と、前記算出したフレーム長が所定の長さ以上であるか否かを判断するフレーム長判断手段とを備え、前記フレーム長が所定の長さ以上の場合、前記アンテナ切替手段は、前記フレームの受信状態に応じて、受信に用いるアンテナを切替えることを特徴としている。
【０１９３】
上記の構成によれば、フレーム長判断手段により、フレーム長算出手段で算出したフレーム長が、所定の長さ以上であるか否かを判断することができる。そして、上記フレームのフレーム長が所定の長さ以上である場合に、アンテナ切替手段が、前記フレームの受信状態に応じて、受信に利用するアンテナを切替える。
【０１９４】
ところで、フレーム長の長いフレームは、ノイズ等の影響によりエラーがフレームにのったり、フレームの一部または全部が欠落してしまうおそれが、フレーム長が短いフレームよりも強い。それゆえ、フレーム長が長いフレームを精度よく受信できれば、効率のよい受信を実現できる。
【０１９５】
したがって、フレーム長が所定の長さ以上の場合、前記フレームの受信状態に応じて、受信に用いるアンテナを切替えることにより、効率のよい受信を実現することができるというという効果を奏する。
【０１９６】
また、本発明に係る無線受信装置は、上記の無線受信装置において、受信したフレームを基に、変調速度を算出する変調速度算出手段と、前記算出した変調速度が所定の速度以上であるか否かを判断する変調速度判断手段とを備え、前記変調速度が所定の速度以上の場合、前記アンテナ切替手段は、前記フレームの受信状態に応じて、受信に用いるアンテナを切替えることを特徴としている。
【０１９７】
上記の構成によれば、変調速度判断手段により、変調速度算出手段で算出した変調速度が、所定の速度以上であるか否かを判断することができる。そして、上記変調速度が所定の速度以上である場合に、アンテナ切替手段が、前記フレームの受信状態に応じて、受信に利用するアンテナを切替える。
【０１９８】
ところで、変調速度が速いフレームは、ノイズ等の影響によりエラーがフレームにのるおそれが、変調速度が遅いフレームよりも強い。それゆえ、変調速度が速いフレームを精度よく受信できれば、効率のよい受信を実現できる。
【０１９９】
したがって、変調速度が所定の速度以上の場合、前記フレームの受信状態に応じて、受信に用いるアンテナを切替えることにより、効率のよい受信を実現することができるという効果を奏する。
【０２００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０１】
また、上記無線受信装置（１・１′）を無線通信装置が備えることにより、無線通信装置にて、上述した無線受信装置の効果を得ることができる。
【０２０２】
なお、上記実施形態の無線受信装置（１・１′）の各部（アンテナおよび記憶部を除く）や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読取り、当該プログラムを実行するだけで、本実施形態の無線受信装置（１・１′）の各種機能および各種処理を実現することができる。また、上記プログラムをリムーバブルな記録媒体に記録することにより、任意のコンピュータ上で上記の各種機能および各種処理を実現することができる。
【０２０３】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２０４】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２０５】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２０６】
また、インターネットを含む通信ネットワークを接続可能なシステム構成であれば、通信ネットワークからプログラムをダウンロードするように流動的にプログラムを担持する記録媒体であることが好ましい。
【０２０７】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２０８】
携帯電話機や通信機能を有するＰＤＡ（Personal Digital Assistant）等の移動体通信機器、その他の無線通信装置等に適用可能である。
【図面の簡単な説明】
【０２０９】
【図１】本発明の実施の形態に係る無線受信装置の機能ブロック図である。
【図２】上記無線受信装置が受信するフレームのフォーマットの例を示した図である。
【図３】上記無線受信装置におけるアンテナ切替処理のフローを示したフローチャートである。
【図４】本発明の他の実施の形態に係る無線受信装置の機能ブロック図である。
【図５】受信電界強度が記憶されるテーブルを示した図である。
【図６】上記テーブルに受信電界強度が書込まれた状態を示した図である。
【図７】上記無線受信装置におけるアンテナ切替処理のフローを示したフローチャートである。
【図８】従来の無線受信装置の機能ブロック図である。
【符号の説明】
【０２１０】
１・１′  無線受信装置
１１  第１アンテナ
１２  第２アンテナ
１３  受信部
１４  信号復調部
１５  フレーム処理部
１６  上位処理部
１７・１７′  第１識別部（第１識別手段）
１８  第２識別部（第２識別手段）
１９  比較部（比較手段）
２０・２０′  アンテナ切替部（アンテナ切替手段）
２１・２１′  受信電界強度算出部（受信電界強度算出手段）
２２  第３識別部（第３識別手段）
２３  第４識別部（第４識別手段）
２４  第５識別部
２５  データ書込処理部（書込手段）
２６  記憶部（記憶手段）
２７  データ読出処理部（読出手段）
２８  アンテナ決定部（アンテナ決定部）